(57)【要約】【課題】ユーザが電子メールのメッセージの文字数や添付する圧縮画像データのデータサイズ、電子メール送信時の移動体通信網の種別、送信先の回線種別を意識せずに、メッセージを作成できて圧縮画像データを添付して確実に送信できるようにする。【解決手段】開示される圧縮画像データ送信方法は、最大メールサイズからメッセージのデータサイズを減算した結果を画像データのデータサイズで除算して画像データの圧縮率を算出し、圧縮率が最大圧縮率以下の場合にはその圧縮率で画像データを圧縮してメッセージに添付して送信し、圧縮率が最大圧縮率より大きい場合には最大圧縮率で画像データを圧縮するとともに、メッセージの変更を促し、変更されたメッセージのデータサイズと最大圧縮率で圧縮して求めた圧縮画像データのデータサイズとの合計が最大メールサイズ以下の場合にはその圧縮画像データを変更されたメッセージに添付して送信する。【選択図】      図２
2004158935.tif 000002
【特許請求の範囲】
【請求項１】
携帯端末を構成するカメラで撮影された画像データを圧縮して求めた圧縮画像データを前記携帯端末で作成された電子メールのメッセージに添付して前記携帯端末で使用可能な回線を介して他の携帯端末に送信する圧縮画像データ送信方法であって、
前記回線で送受信可能な電子メールのデータサイズの最大値である最大メールサイズから前記メッセージのデータサイズを減算した結果を前記画像データのデータサイズで除算して前記画像データの圧縮率を算出する第１のステップと、
前記圧縮率が、前記携帯端末で使用される画像データのファイル・フォーマットにおける最大圧縮率以下である場合には前記圧縮率で前記画像データを圧縮して求めた第１の圧縮画像データを前記メッセージに添付して前記回線を介して前記他の携帯端末に送信する第２のステップと、
前記圧縮率が前記最大圧縮率より大きい場合には前記最大圧縮率で前記画像データを圧縮して第２の圧縮画像データを求めるとともに、前記携帯端末の所持者に前記メッセージの変更を促し、変更されたメッセージのデータサイズと前記第２の圧縮画像データのデータサイズとの合計が前記最大メールサイズ以下である場合には前記第２の圧縮画像データを前記変更されたメッセージに添付して前記回線を介して前記他の携帯端末に送信する第３のステップと
を有することを特徴とする圧縮画像データ送信方法。
【請求項２】
携帯端末を構成するカメラで撮影された画像データを圧縮して求めた圧縮画像データを前記携帯端末で作成された電子メールのメッセージに添付して前記携帯端末で使用可能な回線を介して他の携帯端末に送信する圧縮画像データ送信方法であって、
前記カメラで撮影された画像データを第１の圧縮率で圧縮して第１の圧縮画像データを求める第１のステップと、
前記第１の圧縮画像データのデータサイズと前記メッセージのデータサイズとの合計が、前記回線で送受信可能な電子メールのデータサイズの最大値である最大メールサイズ以下である場合には、前記第１の圧縮画像データを前記メッセージに添付して前記回線を介して前記他の携帯端末に送信する第２のステップと、
前記第１の圧縮画像データのデータサイズと前記メッセージのデータサイズとの合計が、前記最大メールサイズより大きい場合には、前記第１の圧縮画像データを復号化する第３のステップと、
前記最大メールサイズから前記メッセージのデータサイズを減算した結果を前記復号化された画像データのデータサイズで除算して前記復号化された画像データの第２の圧縮率を算出する第４のステップと、
前記第２の圧縮率が、前記携帯端末で使用される画像データのファイル・フォーマットにおける最大圧縮率以下である場合には前記第２の圧縮率で前記復号化された画像データを圧縮して求めた第２の圧縮画像データを前記メッセージに添付して前記回線を介して前記他の携帯端末に送信する第５のステップと、
前記第２の圧縮率が前記最大圧縮率より大きい場合には前記最大圧縮率で前記復号化された画像データを圧縮して第３の圧縮画像データを求めるとともに、前記携帯端末の所持者に前記メッセージの変更を促し、変更されたメッセージのデータサイズと前記第３の圧縮画像データのデータサイズとの合計が前記最大メールサイズ以下である場合には前記第３の圧縮画像データを前記変更されたメッセージに添付して前記回線を介して前記他の携帯端末に送信する第６のステップと
を有することを特徴とする圧縮画像データ送信方法。
【請求項３】
携帯端末を構成するカメラで撮影された画像データを圧縮して求めた圧縮画像データを前記携帯端末で作成された電子メールのメッセージに添付して前記携帯端末で使用可能な回線を介して他の携帯端末に送信する圧縮画像データ送信方法であって、
前記携帯端末の現在地に存在する移動体通信網において接続可能な回線を判定する第１のステップと、
前記第１のステップで判定された回線で送受信可能な電子メールのデータサイズの最大値である最大メールサイズから前記メッセージのデータサイズを減算した結果を前記画像データのデータサイズで除算して前記画像データの圧縮率を算出する第２のステップと、
前記圧縮率が、前記携帯端末で使用される画像データのファイル・フォーマットにおける最大圧縮率以下である場合には前記圧縮率で前記画像データを圧縮して求めた第１の圧縮画像データを前記メッセージに添付して前記回線を介して前記他の携帯端末に送信する第３のステップと、
前記圧縮率が前記最大圧縮率より大きい場合には前記最大圧縮率で前記画像データを圧縮して第２の圧縮画像データを求めるとともに、前記携帯端末の所持者に前記メッセージの変更を促し、変更されたメッセージのデータサイズと前記第２の圧縮画像データのデータサイズとの合計が前記最大メールサイズ以下である場合には前記第２の圧縮画像データを前記変更されたメッセージに添付して前記回線を介して前記他の携帯端末に送信する第４のステップと
を有することを特徴とする圧縮画像データ送信方法。
【請求項４】
携帯端末を構成するカメラで撮影された画像データを圧縮して求めた圧縮画像データを前記携帯端末で作成された電子メールのメッセージに添付して前記携帯端末で使用可能な回線を介して他の携帯端末に送信する圧縮画像データ送信方法であって、
前記カメラで撮影された画像データを第１の圧縮率で圧縮して第１の圧縮画像データを求める第１のステップと、
前記携帯端末の現在地に存在する移動体通信網において接続可能な回線を判定する第２のステップと、
前記第１の圧縮画像データのデータサイズと前記メッセージのデータサイズとの合計が、前記第２のステップで判定された回線で送受信可能な電子メールのデータサイズの最大値である最大メールサイズ以下である場合には、前記第１の圧縮画像データを前記メッセージに添付して前記回線を介して前記他の携帯端末に送信する第３のステップと、
前記第１の圧縮画像データのデータサイズと前記メッセージのデータサイズとの合計が、前記最大メールサイズより大きい場合には、前記第１の圧縮画像データを復号化する第４のステップと、
前記最大メールサイズから前記メッセージのデータサイズを減算した結果を前記復号化された画像データのデータサイズで除算して前記復号化された画像データの第２の圧縮率を算出する第５のステップと、
前記第２の圧縮率が、前記携帯端末で使用される画像データのファイル・フォーマットにおける最大圧縮率以下である場合には前記第２の圧縮率で前記復号化された画像データを圧縮して求めた第２の圧縮画像データを前記メッセージに添付して前記回線を介して前記他の携帯端末に送信する第６のステップと、
前記第２の圧縮率が前記最大圧縮率より大きい場合には前記最大圧縮率で前記復号化された画像データを圧縮して第３の圧縮画像データを求めるとともに、前記携帯端末の所持者に前記メッセージの変更を促し、変更されたメッセージのデータサイズと前記第３の圧縮画像データのデータサイズとの合計が前記最大メールサイズ以下である場合には前記第３の圧縮画像データを前記変更されたメッセージに添付して前記回線を介して前記他の携帯端末に送信する第７のステップと
を有することを特徴とする圧縮画像データ送信方法。
【請求項５】
送信元の携帯端末を構成するカメラで撮影された画像データを圧縮して求めた圧縮画像データを前記送信元の携帯端末で作成された電子メールのメッセージに添付して前記送信元の携帯端末で使用可能な回線を介して送信先の携帯端末に送信する圧縮画像データ送信方法であって、
前記送信元の携帯端末を構成する記憶部に記憶されている送信先の電話番号を管理するためのメモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合には、前記第１の最大メールサイズから前記メッセージのデータサイズを減算した結果を前記画像データのデータサイズで除算して前記画像データの第１の圧縮率を算出する第１のステップと、
前記メモリダイヤルデータ内に前記送信先回線種別又は前記第１の最大メールサイズが設定されていない場合には、前記送信元の携帯端末が使用可能な回線ごとに設定されている送受信可能な電子メールのデータサイズの最大値である第２の最大メールサイズのうち、最も小さいものを示す第３の最大メールサイズから前記メッセージのデータサイズを減算した結果を前記画像データのデータサイズで除算して前記画像データの第２の圧縮率を算出する第２のステップと、
前記第１又は第２の圧縮率が、前記送信元の携帯端末で使用される画像データのファイル・フォーマットにおける最大圧縮率以下である場合には前記第１又は第２の圧縮率で前記画像データを圧縮して求めた第１の圧縮画像データを前記メッセージに添付して前記回線を介して前記送信先の携帯端末に送信する第３のステップと、
前記第１又は第２の圧縮率が前記最大圧縮率より大きい場合には、前記最大圧縮率で前記画像データを圧縮して第２の圧縮画像データを求めるとともに、前記送信元の携帯端末の所持者に前記メッセージの変更を促し、変更されたメッセージのデータサイズと前記第２の圧縮画像データのデータサイズとの合計が前記第１又は第３の最大メールサイズ以下である場合には前記第２の圧縮画像データを前記変更されたメッセージに添付して前記回線を介して前記送信先の携帯端末に送信する第４のステップと
を有することを特徴とする圧縮画像データ送信方法。
【請求項６】
前記第２のステップでは、前記メモリダイヤルデータ内に前記送信先回線種別又は前記第１の最大メールサイズが設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、回答された、前記送信先回線種別に対応した回線、前記機種に対応した回線、あるいは前記接続可能な回線に、設定されている送受信可能な電子メールのデータサイズの最大値である第４の最大メールサイズ又は、前記第１の最大メールサイズから前記メッセージのデータサイズを減算した結果を前記画像データのデータサイズで除算して前記画像データの第２の圧縮率を算出することを特徴とする請求項５記載の圧縮画像データ送信方法。
【請求項７】
送信元の携帯端末を構成するカメラで撮影された画像データを圧縮して求めた圧縮画像データを前記送信元の携帯端末で作成された電子メールのメッセージに添付して前記送信元の携帯端末で使用可能な回線を介して送信先の携帯端末に送信する圧縮画像データ送信方法であって、
前記カメラで撮影された画像データを第１の圧縮率で圧縮して第１の圧縮画像データを求める第１のステップと、
前記送信元の携帯端末を構成する記憶部に記憶されている送信先の電話番号を管理するためのメモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合であって、前記第１の圧縮画像データのデータサイズと前記メッセージのデータサイズとの合計が、前記第１の最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第１の最大メールサイズより大きい場合には、前記第１の圧縮画像データを復号化する第２のステップと、
前記メモリダイヤルデータ内に前記送信先回線種別又は前記第１の最大メールサイズが設定されていない場合であって、前記第１の圧縮画像データのデータサイズと前記メッセージのデータサイズとの合計が、前記送信元の携帯端末が使用可能な回線ごとに設定されている送受信可能な電子メールのデータサイズの最大値である第２の最大メールサイズのうち、最も小さいものを示す第３の最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第３の最大メールサイズより大きい場合には、前記第１の圧縮画像データを復号化する第３のステップと、
前記第１の最大メールサイズから前記メッセージのデータサイズを減算した結果を前記復号化された画像データのデータサイズで除算して前記復号化された画像データの第３の圧縮率を算出する第４のステップと、
前記第３の最大メールサイズから前記メッセージのデータサイズを減算した結果を前記復号化された画像データのデータサイズで除算して前記復号化された画像データの第４の圧縮率を算出する第５のステップと、
前記第３の圧縮率が、前記送信元の携帯端末で使用される画像データのファイル・フォーマットにおける最大圧縮率以下である場合には、前記第３の圧縮率で前記復号化された画像データを圧縮して求めた第２の圧縮画像データを前記メッセージに添付して前記回線を介して前記送信先の携帯端末に送信し、前記第３の圧縮率が前記最大圧縮率より大きい場合には、前記最大圧縮率で前記復号化された画像データを圧縮して第３の圧縮画像データを求めるとともに、前記送信元の携帯端末の所持者に前記メッセージの変更を促し、変更されたメッセージのデータサイズと前記第３の圧縮画像データのデータサイズとの合計が前記第１の最大メールサイズ以下である場合には前記第３の圧縮画像データを前記変更されたメッセージに添付して前記回線を介して前記送信先の携帯端末に送信する第６のステップと、
前記第４の圧縮率が、前記送信元の携帯端末で使用される画像データのファイル・フォーマットにおける最大圧縮率以下である場合には、前記第４の圧縮率で前記復号化された画像データを圧縮して求めた第４の圧縮画像データを前記メッセージに添付して前記回線を介して前記送信先の携帯端末に送信し、前記第４の圧縮率が前記最大圧縮率より大きい場合には、前記最大圧縮率で前記復号化された画像データを圧縮して第５の圧縮画像データを求めるとともに、前記所持者に前記メッセージの変更を促し、変更されたメッセージのデータサイズと前記第５の圧縮画像データのデータサイズとの合計が前記第３の最大メールサイズ以下である場合には前記第５の圧縮画像データを前記変更されたメッセージに添付して前記回線を介して前記送信先の携帯端末に送信する第７のステップと
を有することを特徴とする圧縮画像データ送信方法。
【請求項８】
前記第３のステップでは、前記メモリダイヤルデータ内に前記送信先回線種別又は前記第１の最大メールサイズが設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、前記第１の圧縮画像データのデータサイズと前記メッセージのデータサイズとの合計が、回答された、前記送信先回線種別に対応した回線、前記機種に対応した回線、あるいは前記接続可能な回線に、設定されている送受信可能な電子メールのデータサイズの最大値である第４の最大メールサイズ又は、前記第１の最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第４又は第１の最大メールサイズより大きい場合には、前記第１の圧縮画像データを復号化することを特徴とする請求項７記載の圧縮画像データ送信方法。
【請求項９】
送信元の携帯端末を構成するカメラで撮影された画像データを圧縮して求めた圧縮画像データを前記送信元の携帯端末で作成された電子メールのメッセージに添付して前記送信元の携帯端末で使用可能な回線を介して送信先の携帯端末に送信する圧縮画像データ送信方法であって、
前記送信元の携帯端末の現在地に存在する移動体通信網において接続可能な回線を判定する第１のステップと、
前記送信元の携帯端末を構成する記憶部に記憶されている送信先の電話番号を管理するためのメモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合には、前記第１の最大メールサイズ又は、前記第１のステップで判定された回線で送受信可能な電子メールのデータサイズの最大値である第２の最大メールサイズのうち、小さい方から前記メッセージのデータサイズを減算した結果を前記画像データのデータサイズで除算して前記画像データの第１の圧縮率を算出する第２のステップと、
前記メモリダイヤルデータ内に前記送信先回線種別又は前記第１の最大メールサイズが設定されていない場合には、前記第１の最大メールサイズ又は、前記送信元の携帯端末が使用可能な回線ごとに設定されている送受信可能な電子メールのデータサイズの最大値である第２の最大メールサイズのうち、最も小さいものを示す第３の最大メールサイズのうち、小さい方から前記メッセージのデータサイズを減算した結果を前記画像データのデータサイズで除算して前記画像データの第２の圧縮率を算出する第３のステップと、
前記第１の圧縮率が、前記送信元の携帯端末で使用される画像データのファイル・フォーマットにおける最大圧縮率以下である場合には、前記第１の圧縮率で前記画像データを圧縮して求めた第１の圧縮画像データを前記メッセージに添付して前記回線を介して前記送信先の携帯端末に送信し、前記第１の圧縮率が前記最大圧縮率より大きい場合には、前記最大圧縮率で前記画像データを圧縮して第２の圧縮画像データを求めるとともに、前記送信元の携帯端末の所持者に前記メッセージの変更を促し、変更されたメッセージのデータサイズと前記第２の圧縮画像データのデータサイズとの合計が前記最大メールサイズ以下である場合には前記第２の圧縮画像データを前記変更されたメッセージに添付して前記回線を介して前記送信先の携帯端末に送信する第４のステップと、
前記第２の圧縮率が前記最大圧縮率以下である場合には、前記第２の圧縮率で前記画像データを圧縮して求めた第３の圧縮画像データを前記メッセージに添付して前記回線を介して前記送信先の携帯端末に送信し、前記第２の圧縮率が前記最大圧縮率より大きい場合には、前記最大圧縮率で前記画像データを圧縮して第４の圧縮画像データを求めるとともに、前記所持者に前記メッセージの変更を促し、変更されたメッセージのデータサイズと前記第４の圧縮画像データのデータサイズとの合計が前記最大メールサイズ以下である場合には前記第４の圧縮画像データを前記変更されたメッセージに添付して前記回線を介して前記送信先の携帯端末に送信する第５のステップと
を有することを特徴とする圧縮画像データ送信方法。
【請求項１０】
前記第３のステップでは、前記メモリダイヤルデータ内に前記送信先回線種別又は前記第１の最大メールサイズが設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、回答された、前記送信先回線種別に対応した回線、前記機種に対応した回線、あるいは前記接続可能な回線に、設定されている送受信可能な電子メールのデータサイズの最大値である第４の最大メールサイズ若しくは前記第１の最大メールサイズ又は前記第３の最大メールサイズのうち、小さい方から前記メッセージのデータサイズを減算した結果を前記画像データのデータサイズで除算して前記画像データの第２の圧縮率を算出することを特徴とする請求項９記載の圧縮画像データ送信方法。
【請求項１１】
送信元の携帯端末を構成するカメラで撮影された画像データを圧縮して求めた圧縮画像データを前記送信元の携帯端末で作成された電子メールのメッセージに添付して前記送信元の携帯端末で使用可能な回線を介して送信先の携帯端末に送信する圧縮画像データ送信方法であって、
前記カメラで撮影された画像データを第１の圧縮率で圧縮して第１の圧縮画像データを求める第１のステップと、
前記送信元の携帯端末の現在地に存在する移動体通信網において接続可能な回線を判定する第２のステップと、
前記送信元の携帯端末を構成する記憶部に記憶されている送信先の電話番号を管理するためのメモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合には、前記第１の最大メールサイズ又は、前記第２のステップで判定された回線で送受信可能な電子メールのデータサイズの最大値である第２の最大メールサイズのうち、小さい方を選択する第３のステップと、
前記メモリダイヤルデータ内に前記送信先回線種別が設定されていない場合には、前記送信元の携帯端末が使用可能な回線ごとに設定されている送受信可能な電子メールのデータサイズの最大値である第３の最大メールサイズのうち、最も小さいものを示す第４の最大メールサイズ又は、前記第２の最大メールサイズのうち、小さい方を選択する第４のステップと、
前記第１の圧縮画像データのデータサイズと前記メッセージのデータサイズとの合計が、前記第３のステップで選択された最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第３のステップで選択された最大メールサイズより大きい場合には、前記第１の圧縮画像データを復号化する第５のステップと、
前記第１の圧縮画像データのデータサイズと前記メッセージのデータサイズとの合計が、前記第４のステップで選択された最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第４のステップで選択された最大メールサイズより大きい場合には、前記第１の圧縮画像データを復号化する第６のステップと、
前記第３のステップで選択された最大メールサイズから前記メッセージのデータサイズを減算した結果を前記復号化された画像データのデータサイズで除算して前記復号化された画像データの第２の圧縮率を算出する第７のステップと、
前記第４のステップで選択された最大メールサイズから前記メッセージのデータサイズを減算した結果を前記復号化された画像データのデータサイズで除算して前記復号化された画像データの第３の圧縮率を算出する第８のステップと、
前記第２の圧縮率が、前記送信元の携帯端末で使用される画像データのファイル・フォーマットにおける最大圧縮率以下である場合には、前記第２の圧縮率で前記復号化された画像データを圧縮して求めた第２の圧縮画像データを前記メッセージに添付して前記回線を介して前記送信先の携帯端末に送信し、前記第２の圧縮率が前記最大圧縮率より大きい場合には、前記最大圧縮率で前記復号化された画像データを圧縮して第３の圧縮画像データを求めるとともに、前記送信元の携帯端末の所持者に前記メッセージの変更を促し、変更されたメッセージのデータサイズと前記第３の圧縮画像データのデータサイズとの合計が前記最大メールサイズ以下である場合には、前記第３の圧縮画像データを前記変更されたメッセージに添付して前記回線を介して前記送信先の携帯端末に送信する第９のステップと、
前記第３の圧縮率が、前記最大圧縮率以下である場合には、前記第３の圧縮率で前記復号化された画像データを圧縮して求めた第４の圧縮画像データを前記メッセージに添付して前記回線を介して前記送信先の携帯端末に送信し、前記第３の圧縮率が前記最大圧縮率より大きい場合には、前記最大圧縮率で前記復号化された画像データを圧縮して第５の圧縮画像データを求めるとともに、前記所持者に前記メッセージの変更を促し、変更されたメッセージのデータサイズと前記第５の圧縮画像データのデータサイズとの合計が前記最大メールサイズ以下である場合には、前記第５の圧縮画像データを前記変更されたメッセージに添付して前記回線を介して前記送信先の携帯端末に送信する第１０のステップと
を有することを特徴とする圧縮画像データ送信方法。
【請求項１２】
前記第４のステップでは、前記メモリダイヤルデータ内に前記送信先回線種別が設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、回答された、前記送信先回線種別に対応した回線、前記機種に対応した回線、あるいは前記接続可能な回線に、設定されている送受信可能な電子メールのデータサイズの最大値である第５の最大メールサイズ若しくは前記第１の最大メールサイズ又は前記第２の最大メールサイズのうち、小さい方を選択することを特徴とする請求項１１記載の圧縮画像データ送信方法。
【請求項１３】
コンピュータに請求項１乃至１２のいずれか１に記載の機能を実現させるための圧縮画像データ送信プログラム。
【請求項１４】
カメラで撮影された画像データを圧縮して得られた圧縮画像データを電子メールのメッセージに添付して回線を介して他の携帯端末に送信する携帯端末であって、
前記回線で送受信可能な電子メールのデータサイズの最大値である最大メールサイズから前記メッセージのデータサイズを減算した結果を前記画像データのデータサイズで除算して前記画像データの圧縮率を算出する圧縮サイズ判定部と、
前記画像データを圧縮する画像圧縮部と、
前記圧縮率が、使用される画像データのファイル・フォーマットにおける最大圧縮率以下である場合には、前記画像圧縮部に前記圧縮率で前記画像データを圧縮させることにより得られた第１の圧縮画像データを前記メッセージに添付して前記回線を介して前記他の携帯端末に送信し、前記圧縮率が前記最大圧縮率より大きい場合には、前記画像圧縮部に前記最大圧縮率で前記画像データを圧縮させることにより第２の圧縮画像データを得るとともに、所持者に前記メッセージの変更を促し、変更されたメッセージのデータサイズと前記第２の圧縮画像データのデータサイズとの合計が前記最大メールサイズ以下である場合には前記第２の圧縮画像データを前記変更されたメッセージに添付して前記回線を介して前記他の携帯端末に送信する制御部と
を備えてなることを特徴とする携帯端末。
【請求項１５】
カメラで撮影された画像データを圧縮して得られた圧縮画像データを電子メールのメッセージに添付して回線を介して他の携帯端末に送信する携帯端末であって、
前記画像データを圧縮するとともに、前記圧縮画像データを復号化する画像圧縮伸張部と、
前記画像データの圧縮率を算出する圧縮サイズ判定部と、
前記カメラで撮影された画像データを前記画像圧縮伸張部に第１の圧縮率で圧縮させることにより第１の圧縮画像データを得るとともに、前記第１の圧縮画像データのデータサイズと前記メッセージのデータサイズとの合計が、前記回線で送受信可能な電子メールのデータサイズの最大値である最大メールサイズ以下である場合には、前記第１の圧縮画像データを前記メッセージに添付して前記回線を介して前記他の携帯端末に送信し、前記第１の圧縮画像データのデータサイズと前記メッセージのデータサイズとの合計が、前記最大メールサイズより大きい場合には、前記画像圧縮伸張部に前記第１の圧縮画像データを復号化させ、前記圧縮サイズ判定部に前記最大メールサイズから前記メッセージのデータサイズを減算させた結果を前記復号化された画像データのデータサイズで除算させて前記復号化された画像データの第２の圧縮率を算出させ、前記第２の圧縮率が、使用される画像データのファイル・フォーマットにおける最大圧縮率以下である場合には、前記画像圧縮伸張部に前記第２の圧縮率で前記復号化された画像データを圧縮させることにより得られた第２の圧縮画像データを前記メッセージに添付して前記回線を介して前記他の携帯端末に送信し、前記第２の圧縮率が前記最大圧縮率より大きい場合には、前記画像圧縮伸張部に前記最大圧縮率で前記復号化された画像データを圧縮させることにより第３の圧縮画像データを得るとともに、所持者に前記メッセージの変更を促し、変更されたメッセージのデータサイズと前記第３の圧縮画像データのデータサイズとの合計が前記最大メールサイズ以下である場合には前記第３の圧縮画像データを前記変更されたメッセージに添付して前記回線を介して前記他の携帯端末に送信する制御部と
を備えてなることを特徴とする携帯端末。
【請求項１６】
カメラで撮影された画像データを圧縮して得られた圧縮画像データを電子メールのメッセージに添付して回線を介して他の携帯端末に送信する携帯端末であって、
現在地に存在する移動体通信網において接続可能な回線を判定する送信回線判定部と、
前記送信回線判定部により判定された回線で送受信可能な電子メールのデータサイズの最大値である最大メールサイズから前記メッセージのデータサイズを減算した結果を前記画像データのデータサイズで除算して前記画像データの圧縮率を算出する圧縮サイズ判定部と、
前記画像データを圧縮する画像圧縮部と、
前記圧縮率が、使用される画像データのファイル・フォーマットにおける最大圧縮率以下である場合には、前記画像圧縮部に前記圧縮率で前記画像データを圧縮させることにより得られた第１の圧縮画像データを前記メッセージに添付して前記回線を介して前記他の携帯端末に送信し、前記圧縮率が前記最大圧縮率より大きい場合には、前記画像圧縮部に前記最大圧縮率で前記画像データを圧縮させることにより第２の圧縮画像データを得るとともに、所持者に前記メッセージの変更を促し、変更されたメッセージのデータサイズと前記第２の圧縮画像データのデータサイズとの合計が前記最大メールサイズ以下である場合には前記第２の圧縮画像データを前記変更されたメッセージに添付して前記回線を介して前記他の携帯端末に送信する制御部と
を有することを特徴とする携帯端末。
【請求項１７】
カメラで撮影された画像データを圧縮して得られた圧縮画像データを電子メールのメッセージに添付して回線を介して他の携帯端末に送信する携帯端末であって、
前記画像データを圧縮するとともに、前記圧縮画像データを復号化する画像圧縮伸張部と、
現在地に存在する移動体通信網において接続可能な回線を判定する送信回線判定部と、
前記画像データの圧縮率を算出する圧縮サイズ判定部と、
前記カメラで撮影された画像データを前記画像圧縮伸張部に第１の圧縮率で圧縮させることにより第１の圧縮画像データを得るとともに、前記第１の圧縮画像データのデータサイズと前記メッセージのデータサイズとの合計が、前記送信回線判定部により判定された回線で送受信可能な電子メールのデータサイズの最大値である最大メールサイズ以下である場合には、前記第１の圧縮画像データを前記メッセージに添付して前記回線を介して前記他の携帯端末に送信し、前記第１の圧縮画像データのデータサイズと前記メッセージのデータサイズとの合計が、前記最大メールサイズより大きい場合には、前記画像圧縮伸張部に前記第１の圧縮画像データを復号化させ、前記圧縮サイズ判定部に前記最大メールサイズから前記メッセージのデータサイズを減算させた結果を前記復号化された画像データのデータサイズで除算させて前記復号化された画像データの第２の圧縮率を算出させ、前記第２の圧縮率が、使用される画像データのファイル・フォーマットにおける最大圧縮率以下である場合には、前記画像圧縮伸張部に前記第２の圧縮率で前記復号化された画像データを圧縮させることにより得られた第２の圧縮画像データを前記メッセージに添付して前記回線を介して前記他の携帯端末に送信し、前記第２の圧縮率が前記最大圧縮率より大きい場合には、前記画像圧縮伸張部に前記最大圧縮率で前記復号化された画像データを圧縮させて第３の圧縮画像データを得るとともに、所持者に前記メッセージの変更を促し、変更されたメッセージのデータサイズと前記第３の圧縮画像データのデータサイズとの合計が前記最大メールサイズ以下である場合には前記第３の圧縮画像データを前記変更されたメッセージに添付して前記回線を介して前記他の携帯端末に送信する制御部とを備えてなることを特徴とする携帯端末。
【請求項１８】
カメラで撮影された画像データを圧縮して得られた圧縮画像データを電子メールのメッセージに添付して回線を介して送信先の携帯端末に送信する携帯端末であって、
送信先の電話番号を管理するためのメモリダイヤルデータが記憶される記憶部と、
前記画像データの圧縮率を算出する圧縮サイズ判定部と、
前記画像データを圧縮する画像圧縮部と、
前記メモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合には、前記圧縮サイズ判定部に、前記第１の最大メールサイズから前記メッセージのデータサイズを減算させた結果を前記画像データのデータサイズで除算させて前記画像データの第１の圧縮率を算出させ、前記メモリダイヤルデータ内に前記送信先回線種別又は前記第１の最大メールサイズが設定されていない場合には、前記圧縮サイズ判定部に、前記送信元の携帯端末が使用可能な回線ごとに設定されている送受信可能な電子メールのデータサイズの最大値である第２の最大メールサイズのうち、最も小さいものを示す第３の最大メールサイズから前記メッセージのデータサイズを減算させた結果を前記画像データのデータサイズで除算させて前記画像データの第２の圧縮率を算出させ、前記第１又は第２の圧縮率が、使用される画像データのファイル・フォーマットにおける最大圧縮率以下である場合には、前記画像圧縮部に前記第１又は第２の圧縮率で前記画像データを圧縮させることにより得られた第１の圧縮画像データを前記メッセージに添付して前記回線を介して前記送信先の携帯端末に送信し、前記第１又は第２の圧縮率が前記最大圧縮率より大きい場合には、前記画像圧縮部に前記最大圧縮率で前記画像データを圧縮させることにより第２の圧縮画像データを得るとともに、所持者に前記メッセージの変更を促し、変更されたメッセージのデータサイズと前記第２の圧縮画像データのデータサイズとの合計が前記第１又は第３の最大メールサイズ以下である場合には前記第２の圧縮画像データを前記変更されたメッセージに添付して前記回線を介して前記送信先の携帯端末に送信する制御部と
を備えてなることを特徴とする携帯端末。
【請求項１９】
前記制御部は、前記メモリダイヤルデータ内に前記送信先回線種別が設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、前記圧縮サイズ判定部に、回答された、前記送信先回線種別に対応した回線、前記機種に対応した回線、あるいは前記接続可能な回線に、設定されている送受信可能な電子メールのデータサイズの最大値である第４の最大メールサイズ又は、前記第１の最大メールサイズから前記メッセージのデータサイズを減算させた結果を前記画像データのデータサイズで除算させて前記画像データの第２の圧縮率を算出させることを特徴とする請求項１８記載の携帯端末。
【請求項２０】
カメラで撮影された画像データを圧縮して得られた圧縮画像データを電子メールのメッセージに添付して回線を介して送信先の携帯端末に送信する携帯端末であって、
送信先の電話番号を管理するためのメモリダイヤルデータが記憶される記憶部と、
前記画像データの圧縮率を算出する圧縮サイズ判定部と、
前記画像データを圧縮するとともに、前記圧縮画像データを復号化する画像圧縮伸張部と、
前記カメラで撮影された画像データを前記画像圧縮伸張部に第１の圧縮率で圧縮させることにより第１の圧縮画像データを得るとともに、前記メモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合であって、前記第１の圧縮画像データのデータサイズと前記メッセージのデータサイズとの合計が、前記第１の最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第１の最大メールサイズより大きい場合には、前記画像圧縮伸張部に前記第１の圧縮画像データを復号化させ、前記メモリダイヤルデータ内に前記送信先回線種別又は前記第１の最大メールサイズが設定されていない場合であって、前記第１の圧縮画像データのデータサイズと前記メッセージのデータサイズとの合計が、使用可能な回線ごとに設定されている送受信可能な電子メールのデータサイズの最大値である第２の最大メールサイズのうち、最も小さいものを示す第３の最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第３の最大メールサイズより大きい場合には、前記画像圧縮伸張部に前記第１の圧縮画像データを復号化させ、前記圧縮サイズ判定部に、前記第１の最大メールサイズから前記メッセージのデータサイズを減算させた結果を前記復号化された画像データのデータサイズで除算させて前記復号化された画像データの第３の圧縮率を算出させるとともに、前記第３の最大メールサイズから前記メッセージのデータサイズを減算させた結果を前記復号化された画像データのデータサイズで除算させて前記復号化された画像データの第４の圧縮率を算出させ、前記第３の圧縮率が、前記送信元の携帯端末で使用される画像データのファイル・フォーマットにおける最大圧縮率以下である場合には、前記画像圧縮伸張部に前記第３の圧縮率で前記復号化された画像データを圧縮させることにより得られた第２の圧縮画像データを前記メッセージに添付して前記回線を介して前記送信先の携帯端末に送信し、前記第３の圧縮率が前記最大圧縮率より大きい場合には、前記画像圧縮伸張部に前記最大圧縮率で前記復号化された画像データを圧縮させることにより第３の圧縮画像データを得るとともに、所持者に前記メッセージの変更を促し、変更されたメッセージのデータサイズと前記第３の圧縮画像データのデータサイズとの合計が前記第１の最大メールサイズ以下である場合には前記第３の圧縮画像データを前記変更されたメッセージに添付して前記回線を介して前記送信先の携帯端末に送信し、前記第４の圧縮率が、前記送信元の携帯端末で使用される画像データのファイル・フォーマットにおける最大圧縮率以下である場合には、前記画像圧縮伸張部に前記第４の圧縮率で前記復号化された画像データを圧縮させることにより得られた第４の圧縮画像データを前記メッセージに添付して前記回線を介して前記送信先の携帯端末に送信し、前記第４の圧縮率が前記最大圧縮率より大きい場合には、前記画像圧縮伸張部に前記最大圧縮率で前記復号化された画像データを圧縮させることにより第５の圧縮画像データを得るとともに、前記所持者に前記メッセージの変更を促し、変更されたメッセージのデータサイズと前記第５の圧縮画像データのデータサイズとの合計が前記第３の最大メールサイズ以下である場合には前記第５の圧縮画像データを前記変更されたメッセージに添付して前記回線を介して前記送信先の携帯端末に送信する制御部と
を備えてなることを特徴とする携帯端末。
【請求項２１】
前記制御部は、前記メモリダイヤルデータ内に前記送信先回線種別が設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、前記第１の圧縮画像データのデータサイズと前記メッセージのデータサイズとの合計が、回答された、前記送信先回線種別に対応した回線、前記機種に対応した回線、あるいは前記接続可能な回線に、設定されている送受信可能な電子メールのデータサイズの最大値である第４の最大メールサイズ又は、前記第１の最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記第４又は第１の最大メールサイズより大きい場合には、前記画像圧縮伸張部に前記第１の圧縮画像データを復号化させることを特徴とする請求項２０記載の携帯端末。
【請求項２２】
カメラで撮影された画像データを圧縮して得られた圧縮画像データを電子メールのメッセージに添付して回線を介して送信先の携帯端末に送信する携帯端末であって、
現在地に存在する移動体通信網において接続可能な回線を判定する送信回線判定部と、
送信先の電話番号を管理するためのメモリダイヤルデータが記憶される記憶部と、
前記画像データの圧縮率を算出する圧縮サイズ判定部と、
前記画像データを圧縮する画像圧縮部と、
前記メモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合には、前記圧縮サイズ判定部に、前記第１の最大メールサイズ又は、前記送信回線判定部により判定された回線で送受信可能な電子メールのデータサイズの最大値である第２の最大メールサイズのうち、小さい方から前記メッセージのデータサイズを減算させた結果を前記画像データのデータサイズで除算させて前記画像データの第１の圧縮率を算出させ、前記メモリダイヤルデータ内に前記送信先回線種別又は前記第１の最大メールサイズが設定されていない場合には、前記圧縮サイズ判定部に、前記第１の最大メールサイズ又は、使用可能な回線ごとに設定されている送受信可能な電子メールのデータサイズの最大値である第２の最大メールサイズのうち、最も小さいものを示す第３の最大メールサイズのうち、小さい方から前記メッセージのデータサイズを減算させた結果を前記画像データのデータサイズで除算させて前記画像データの第２の圧縮率を算出させ、前記第１の圧縮率が、使用される画像データのファイル・フォーマットにおける最大圧縮率以下である場合には、前記画像圧縮部に前記第１の圧縮率で前記画像データを圧縮させることにより得られた第１の圧縮画像データを前記メッセージに添付して前記回線を介して前記送信先の携帯端末に送信し、前記第１の圧縮率が前記最大圧縮率より大きい場合には、前記画像圧縮部に前記最大圧縮率で前記画像データを圧縮させることにより第２の圧縮画像データを得るとともに、所持者に前記メッセージの変更を促し、変更されたメッセージのデータサイズと前記第２の圧縮画像データのデータサイズとの合計が前記最大メールサイズ以下である場合には前記第２の圧縮画像データを前記変更されたメッセージに添付して前記回線を介して前記送信先の携帯端末に送信し、前記第２の圧縮率が前記最大圧縮率以下である場合には、前記画像圧縮部に前記第２の圧縮率で前記画像データを圧縮させることにより得られた第３の圧縮画像データを前記メッセージに添付して前記回線を介して前記送信先の携帯端末に送信し、前記第２の圧縮率が前記最大圧縮率より大きい場合には、前記画像圧縮部に前記最大圧縮率で前記画像データを圧縮させることにより第４の圧縮画像データを得るとともに、前記所持者に前記メッセージの変更を促し、変更されたメッセージのデータサイズと前記第４の圧縮画像データのデータサイズとの合計が前記最大メールサイズ以下である場合には前記第４の圧縮画像データを前記変更されたメッセージに添付して前記回線を介して前記送信先の携帯端末に送信する制御部と
を備えてなることを特徴とする携帯端末。
【請求項２３】
前記制御部は、前記メモリダイヤルデータ内に前記送信先回線種別が設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、前記圧縮サイズ判定部に、回答された、前記送信先回線種別に対応した回線、前記機種に対応した回線、あるいは前記接続可能な回線に、設定されている送受信可能な電子メールのデータサイズの最大値である第４の最大メールサイズ若しくは前記第１の最大メールサイズ又は前記第３の最大メールサイズのうち、小さい方から前記メッセージのデータサイズを減算させた結果を前記画像データのデータサイズで除算させて前記画像データの第２の圧縮率を算出させることを特徴とする請求項２２記載の携帯端末。
【請求項２４】
カメラで撮影された画像データを圧縮して得られた圧縮画像データを電子メールのメッセージに添付して回線を介して送信先の携帯端末に送信する携帯端末であって、
現在地に存在する移動体通信網において接続可能な回線を判定する送信回線判定部と、
送信先の電話番号を管理するためのメモリダイヤルデータが記憶される記憶部と、
前記画像データの圧縮率を算出する圧縮サイズ判定部と、
前記画像データを圧縮するとともに、前記圧縮画像データを復号化する画像圧縮伸張部と、
前記メモリダイヤルデータ内に、前記送信先の電話番号とともに、前記送信先の携帯端末が使用可能な回線の種別である送信先回線種別又は、前記送信先回線種別に対応した回線で送受信可能な電子メールのデータサイズの最大値である第１の最大メールサイズが既に設定されている場合には、前記第１の最大メールサイズ又は、前記第２のステップで判定された回線で送受信可能な電子メールのデータサイズの最大値である第２の最大メールサイズのうち、小さい方を選択し、前記第１の圧縮画像データのデータサイズと前記メッセージのデータサイズとの合計が、前記選択した最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記選択した最大メールサイズより大きい場合には、前記画像圧縮伸張部に前記第１の圧縮画像データを復号化させ、前記圧縮サイズ判定部に、前記選択した最大メールサイズから前記メッセージのデータサイズを減算させた結果を前記復号化された画像データのデータサイズで除算して前記復号化された画像データの第２の圧縮率を算出させ、前記メモリダイヤルデータ内に前記送信先回線種別が設定されていない場合には、使用可能な回線ごとに設定されている送受信可能な電子メールのデータサイズの最大値である第３の最大メールサイズのうち、最も小さいものを示す第４の最大メールサイズ又は、前記第２の最大メールサイズのうち、小さい方を選択し、前記第１の圧縮画像データのデータサイズと前記メッセージのデータサイズとの合計が、前記選択した最大メールサイズ以下である場合には、前記第１の圧縮画像データを前記メッセージに添付して前記回線を介して前記送信先の携帯端末に送信し、前記第１の圧縮画像データのデータサイズと前記メッセージのデータサイズとの合計が、前記選択した最大メールサイズより大きい場合には、前記画像圧縮伸張部に前記第１の圧縮画像データを復号化させ、前記圧縮サイズ判定部に、前記選択した最大メールサイズから前記メッセージのデータサイズを減算させた結果を前記復号化された画像データのデータサイズで除算させて前記復号化された画像データの第３の圧縮率を算出させ、前記第２の圧縮率が、使用される画像データのファイル・フォーマットにおける最大圧縮率以下である場合には、前記画像圧縮伸張部に前記第２の圧縮率で前記復号化された画像データを圧縮させることにより得られた第２の圧縮画像データを前記メッセージに添付して前記回線を介して前記送信先の携帯端末に送信し、前記第２の圧縮率が前記最大圧縮率より大きい場合には、前記画像圧縮伸張部に前記最大圧縮率で前記復号化された画像データを圧縮させることにより第３の圧縮画像データを得るとともに、所持者に前記メッセージの変更を促し、変更されたメッセージのデータサイズと前記第３の圧縮画像データのデータサイズとの合計が前記最大メールサイズ以下である場合には、前記第３の圧縮画像データを前記変更されたメッセージに添付して前記回線を介して前記送信先の携帯端末に送信し、前記第３の圧縮率が、前記最大圧縮率以下である場合には、前記画像圧縮伸張部に前記第３の圧縮率で前記復号化された画像データを圧縮させることにより得られた第４の圧縮画像データを前記メッセージに添付して前記回線を介して前記送信先の携帯端末に送信し、前記第３の圧縮率が前記最大圧縮率より大きい場合には、前記画像圧縮伸張部に前記最大圧縮率で前記復号化された画像データを圧縮させることにより第５の圧縮画像データを得るとともに、前記所持者に前記メッセージの変更を促し、変更されたメッセージのデータサイズと前記第５の圧縮画像データのデータサイズとの合計が前記最大メールサイズ以下である場合には、前記第５の圧縮画像データを前記変更されたメッセージに添付して前記回線を介して前記送信先の携帯端末に送信する制御部と
を備えてなることを特徴とする携帯端末。
【請求項２５】
前記制御部は、前記メモリダイヤルデータ内に前記送信先回線種別が設定されていない場合には、前記回線を介して前記送信先の携帯端末にアクセスし、前記送信先の携帯端末の前記送信先回線種別、前記送信先の携帯端末の機種、前記第１の最大メールサイズ、あるいは前記送信先の携帯端末の現在地に存在する移動体通信網において接続可能な回線を問い合わせ、回答された、前記送信先回線種別に対応した回線、前記機種に対応した回線、あるいは前記接続可能な回線に、設定されている送受信可能な電子メールのデータサイズの最大値である第５の最大メールサイズ若しくは前記第１の最大メールサイズ又は前記第２の最大メールサイズのうち、小さい方を選択することを特徴とする請求項２４記載の携帯端末。
【発明の詳細な説明】
【０００１】
【発明の属する技術分野】
この発明は、圧縮画像データ送信方法、そのプログラム及び携帯端末に関し、詳しくは、電子メールのメッセージに圧縮された圧縮画像データを添付して送信する圧縮画像データ送信方法、そのプログラム及び携帯端末に関する。
【０００２】
【従来の技術】
最近の携帯端末には、電子メールのメッセージに圧縮された圧縮画像データを添付して送受信する機能を有しているものがある。ここで、携帯端末とは、携帯電話及び簡易型携帯電話（ＰＨＳ：Ｐｅｒｓｏｎａｌ  Ｈａｎｄｙ−ｐｈｏｎｅ  Ｓｙｓｔｅｍ）の総称である。
また、従来から以下に示すデータ通信システムが提案されている。すなわち、この例のデータ通信システムにおいては、携帯電話とデジタルカメラとをデータ通信可能に構成することにより、圧縮された圧縮画像データが添付された電子メールを携帯電話が受信した場合には、電子メールの文字を携帯電話の表示画面に表示するとともに、圧縮された圧縮画像データはデジタルカメラに送信し、デジタルカメラが圧縮された圧縮画像データを伸長した後に表示画面に表示する。一方、デジタルカメラが撮影した画像は内部で圧縮した後、携帯電話に送信する（例えば、特許文献１参照。）。
また、従来では、以下に示す携帯電話も提案されている。すなわち、この例の携帯電話においては、圧縮された圧縮画像データが添付された電子メールを受信した場合には、画像データを携帯電話の表示エリアのサイズに変換・加工した後、変換・加工した画像をバックグラウンドとし、電子メールの文字を重ねて携帯電話の表示画面に表示する（例えば、特許文献２参照。）。
【０００３】
【特許文献１】
特開２００１−２４９２５公報（第４−５頁、図４及び図６）
【特許文献２】
特開２００２−１４０２６５公報（第５−６頁、図１及び図２）
【０００４】
【発明が解決しようとする課題】
ところで、上記した従来の携帯端末においては、携帯端末が回線を介して送受信可能な電子メールのデータサイズ（以下、最大メールサイズと呼ぶ）が各回線ごとに予め設定されているため、作成した電子メールのメッセージにカメラで撮影した圧縮画像データを添付すると、上記最大メールサイズをオーバーしてしまって送信することができない場合がある。ここで、音声回線の最大メールサイズは例えば６ｋバイトであり、パケット回線の最大メールサイズは例えば１２ｋバイトである。ユーザは、電子メールに添付する圧縮画像データのデータサイズを、自らの操作で、カメラで撮影する前に設定したり、カメラで撮影した後に変更することができないため、入力文字数や添付する圧縮画像データのデータサイズを意識しながら電子メールのメッセージを作成する必要がある。そして、圧縮画像データのデータサイズが大きい場合には、自己が意図するメッセージを作成できないので、圧縮画像データを添付した電子メールを送信することができても相手方にその圧縮画像データを送信した意図が十分に伝わらない場合がある。
逆に、ユーザが予め電子メールのメッセージを作成しておき、その電子メールに後でカメラで撮影した圧縮画像データを添付して送信する場合であっても、メッセージのデータサイズと圧縮画像データのデータサイズの合計が電子メールの送信時に使用する回線に予め設定されている最大メールサイズをオーバーしてしまって送信することができない場合がある。
【０００５】
また、上記した従来の携帯端末においては、当該携帯端末がパケット回線に対応した機種であっても、メッセージに圧縮された圧縮画像データを添付した電子メールを最大メールサイズ以下のデータサイズで作成した後送信する段階に至って、ユーザの現在地に存在する移動体通信網がパケット回線に対応していない場合には、その電子メールを送信することができない。
また、上記した従来の携帯端末においては、ある携帯端末において圧縮された圧縮画像データを添付した電子メールを送信処理することはできても、送信先の携帯端末が使用可能な回線に予め設定されている最大メールサイズより当該電子メールのデータサイズが大きい場合には、送信先の携帯端末が当該電子メールを受信できない場合がある。
なお、上記した特許文献１及び２のいずれにも、以上説明した課題がそもそも記載されておらず、当然のことながらこの課題を解決するための手段が開示も示唆さえもされていない。
【０００６】
この発明は、上述の事情に鑑みてなされたもので、ユーザが電子メールのメッセージの文字数や添付する圧縮画像データのデータサイズ、電子メール送信時の移動体通信網の種別、あるいは送信先の携帯端末の使用可能な回線種別を意識することなく、メッセージを作成できて圧縮画像データを添付して確実に送信することができる圧縮画像データ送信方法、そのプログラム及び携帯端末を提供することを目的としている。
【０００７】
【課題を解決するための手段】
上記課題を解決するために、請求項１記載の発明は、携帯端末を構成するカメラで撮影された画像データを圧縮して求めた圧縮画像データを上記携帯端末で作成された電子メールのメッセージに添付して上記携帯端末で使用可能な回線を介して他の携帯端末に送信する圧縮画像データ送信方法に係り、上記回線で送受信可能な電子メールのデータサイズの最大値である最大メールサイズから上記メッセージのデータサイズを減算した結果を上記画像データのデータサイズで除算して上記画像データの圧縮率を算出する第１のステップと、上記圧縮率が、上記携帯端末で使用される画像データのファイル・フォーマットにおける最大圧縮率以下である場合には上記圧縮率で上記画像データを圧縮して求めた第１の圧縮画像データを上記メッセージに添付して上記回線を介して上記他の携帯端末に送信する第２のステップと、上記圧縮率が上記最大圧縮率より大きい場合には上記最大圧縮率で上記画像データを圧縮して第２の圧縮画像データを求めるとともに、上記携帯端末の所持者に上記メッセージの変更を促し、変更されたメッセージのデータサイズと上記第２の圧縮画像データのデータサイズとの合計が上記最大メールサイズ以下である場合には上記第２の圧縮画像データを上記変更されたメッセージに添付して上記回線を介して上記他の携帯端末に送信する第３のステップとを有することを特徴としている。
【０００８】
また、請求項２記載の発明は、携帯端末を構成するカメラで撮影された画像データを圧縮して求めた圧縮画像データを上記携帯端末で作成された電子メールのメッセージに添付して上記携帯端末で使用可能な回線を介して他の携帯端末に送信する圧縮画像データ送信方法に係り、上記カメラで撮影された画像データを第１の圧縮率で圧縮して第１の圧縮画像データを求める第１のステップと、上記第１の圧縮画像データのデータサイズと上記メッセージのデータサイズとの合計が、上記回線で送受信可能な電子メールのデータサイズの最大値である最大メールサイズ以下である場合には、上記第１の圧縮画像データを上記メッセージに添付して上記回線を介して上記他の携帯端末に送信する第２のステップと、上記第１の圧縮画像データのデータサイズと上記メッセージのデータサイズとの合計が、上記最大メールサイズより大きい場合には、上記第１の圧縮画像データを復号化する第３のステップと、上記最大メールサイズから上記メッセージのデータサイズを減算した結果を上記復号化された画像データのデータサイズで除算して上記復号化された画像データの第２の圧縮率を算出する第４のステップと、上記第２の圧縮率が、上記携帯端末で使用される画像データのファイル・フォーマットにおける最大圧縮率以下である場合には上記第２の圧縮率で上記復号化された画像データを圧縮して求めた第２の圧縮画像データを上記メッセージに添付して上記回線を介して上記他の携帯端末に送信する第５のステップと、上記第２の圧縮率が上記最大圧縮率より大きい場合には上記最大圧縮率で上記復号化された画像データを圧縮して第３の圧縮画像データを求めるとともに、上記携帯端末の所持者に上記メッセージの変更を促し、変更されたメッセージのデータサイズと上記第３の圧縮画像データのデータサイズとの合計が上記最大メールサイズ以下である場合には上記第３の圧縮画像データを上記変更されたメッセージに添付して上記回線を介して上記他の携帯端末に送信する第６のステップとを有することを特徴としている。
【０００９】
また、請求項３記載の発明は、携帯端末を構成するカメラで撮影された画像データを圧縮して求めた圧縮画像データを上記携帯端末で作成された電子メールのメッセージに添付して上記携帯端末で使用可能な回線を介して他の携帯端末に送信する圧縮画像データ送信方法に係り、上記携帯端末の現在地に存在する移動体通信網において接続可能な回線を判定する第１のステップと、上記第１のステップで判定された回線で送受信可能な電子メールのデータサイズの最大値である最大メールサイズから上記メッセージのデータサイズを減算した結果を上記画像データのデータサイズで除算して上記画像データの圧縮率を算出する第２のステップと、上記圧縮率が、上記携帯端末で使用される画像データのファイル・フォーマットにおける最大圧縮率以下である場合には上記圧縮率で上記画像データを圧縮して求めた第１の圧縮画像データを上記メッセージに添付して上記回線を介して上記他の携帯端末に送信する第３のステップと、上記圧縮率が上記最大圧縮率より大きい場合には上記最大圧縮率で上記画像データを圧縮して第２の圧縮画像データを求めるとともに、上記携帯端末の所持者に上記メッセージの変更を促し、変更されたメッセージのデータサイズと上記第２の圧縮画像データのデータサイズとの合計が上記最大メールサイズ以下である場合には上記第２の圧縮画像データを上記変更されたメッセージに添付して上記回線を介して上記他の携帯端末に送信する第４のステップとを有することを特徴としている。
【００１０】
また、請求項４記載の発明は、携帯端末を構成するカメラで撮影された画像データを圧縮して求めた圧縮画像データを上記携帯端末で作成された電子メールのメッセージに添付して上記携帯端末で使用可能な回線を介して他の携帯端末に送信する圧縮画像データ送信方法に係り、上記カメラで撮影された画像データを第１の圧縮率で圧縮して第１の圧縮画像データを求める第１のステップと、上記携帯端末の現在地に存在する移動体通信網において接続可能な回線を判定する第２のステップと、上記第１の圧縮画像データのデータサイズと上記メッセージのデータサイズとの合計が、上記第２のステップで判定された回線で送受信可能な電子メールのデータサイズの最大値である最大メールサイズ以下である場合には、上記第１の圧縮画像データを上記メッセージに添付して上記回線を介して上記他の携帯端末に送信する第３のステップと、上記第１の圧縮画像データのデータサイズと上記メッセージのデータサイズとの合計が、上記最大メールサイズより大きい場合には、上記第１の圧縮画像データを復号化する第４のステップと、上記最大メールサイズから上記メッセージのデータサイズを減算した結果を上記復号化された画像データのデータサイズで除算して上記復号化された画像データの第２の圧縮率を算出する第５のステップと、上記第２の圧縮率が、上記携帯端末で使用される画像データのファイル・フォーマットにおける最大圧縮率以下である場合には上記第２の圧縮率で上記復号化された画像データを圧縮して求めた第２の圧縮画像データを上記メッセージに添付して上記回線を介して上記他の携帯端末に送信する第６のステップと、上記第２の圧縮率が上記最大圧縮率より大きい場合には上記最大圧縮率で上記復号化された画像データを圧縮して第３の圧縮画像データを求めるとともに、上記携帯端末の所持者に上記メッセージの変更を促し、変更されたメッセージのデータサイズと上記第３の圧縮画像データのデータサイズとの合計が上記最大メールサイズ以下である場合には上記第３の圧縮画像データを上記変更されたメッセージに添付して上記回線を介して上記他の携帯端末に送信する第７のステップとを有することを特徴としている。
【００１１】
また、請求項５記載の発明は、送信元の携帯端末を構成するカメラで撮影された画像データを圧縮して求めた圧縮画像データを上記送信元の携帯端末で作成された電子メールのメッセージに添付して上記送信元の携帯端末で使用可能な回線を介して送信先の携帯端末に送信する圧縮画像データ送信方法に係り、上記送信元の携帯端末を構成する記憶部に記憶されている送信先の電話番号を管理するためのメモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合には、上記第１の最大メールサイズから上記メッセージのデータサイズを減算した結果を上記画像データのデータサイズで除算して上記画像データの第１の圧縮率を算出する第１のステップと、上記メモリダイヤルデータ内に上記送信先回線種別又は上記第１の最大メールサイズが設定されていない場合には、上記送信元の携帯端末が使用可能な回線ごとに設定されている送受信可能な電子メールのデータサイズの最大値である第２の最大メールサイズのうち、最も小さいものを示す第３の最大メールサイズから上記メッセージのデータサイズを減算した結果を上記画像データのデータサイズで除算して上記画像データの第２の圧縮率を算出する第２のステップと、上記第１又は第２の圧縮率が、上記送信元の携帯端末で使用される画像データのファイル・フォーマットにおける最大圧縮率以下である場合には上記第１又は第２の圧縮率で上記画像データを圧縮して求めた第１の圧縮画像データを上記メッセージに添付して上記回線を介して上記送信先の携帯端末に送信する第３のステップと、上記第１又は第２の圧縮率が上記最大圧縮率より大きい場合には、上記最大圧縮率で上記画像データを圧縮して第２の圧縮画像データを求めるとともに、上記送信元の携帯端末の所持者に上記メッセージの変更を促し、変更されたメッセージのデータサイズと上記第２の圧縮画像データのデータサイズとの合計が上記第１又は第３の最大メールサイズ以下である場合には上記第２の圧縮画像データを上記変更されたメッセージに添付して上記回線を介して上記送信先の携帯端末に送信する第４のステップとを有することを特徴としている。
【００１２】
また、請求項６記載の発明は、請求項５記載の圧縮画像データ送信方法に係り、上記第２のステップでは、上記メモリダイヤルデータ内に上記送信先回線種別又は上記第１の最大メールサイズが設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、回答された、上記送信先回線種別に対応した回線、上記機種に対応した回線、あるいは上記接続可能な回線に、設定されている送受信可能な電子メールのデータサイズの最大値である第４の最大メールサイズ又は、上記第１の最大メールサイズから上記メッセージのデータサイズを減算した結果を上記画像データのデータサイズで除算して上記画像データの第２の圧縮率を算出することを特徴としている。
【００１３】
また、請求項７記載の発明は、送信元の携帯端末を構成するカメラで撮影された画像データを圧縮して求めた圧縮画像データを上記送信元の携帯端末で作成された電子メールのメッセージに添付して上記送信元の携帯端末で使用可能な回線を介して送信先の携帯端末に送信する圧縮画像データ送信方法に係り、上記カメラで撮影された画像データを第１の圧縮率で圧縮して第１の圧縮画像データを求める第１のステップと、上記送信元の携帯端末を構成する記憶部に記憶されている送信先の電話番号を管理するためのメモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合であって、上記第１の圧縮画像データのデータサイズと上記メッセージのデータサイズとの合計が、上記第１の最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第１の最大メールサイズより大きい場合には、上記第１の圧縮画像データを復号化する第２のステップと、上記メモリダイヤルデータ内に上記送信先回線種別又は上記第１の最大メールサイズが設定されていない場合であって、上記第１の圧縮画像データのデータサイズと上記メッセージのデータサイズとの合計が、上記送信元の携帯端末が使用可能な回線ごとに設定されている送受信可能な電子メールのデータサイズの最大値である第２の最大メールサイズのうち、最も小さいものを示す第３の最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第３の最大メールサイズより大きい場合には、上記第１の圧縮画像データを復号化する第３のステップと、上記第１の最大メールサイズから上記メッセージのデータサイズを減算した結果を上記復号化された画像データのデータサイズで除算して上記復号化された画像データの第３の圧縮率を算出する第４のステップと、上記第３の最大メールサイズから上記メッセージのデータサイズを減算した結果を上記復号化された画像データのデータサイズで除算して上記復号化された画像データの第４の圧縮率を算出する第５のステップと、上記第３の圧縮率が、上記送信元の携帯端末で使用される画像データのファイル・フォーマットにおける最大圧縮率以下である場合には、上記第３の圧縮率で上記復号化された画像データを圧縮して求めた第２の圧縮画像データを上記メッセージに添付して上記回線を介して上記送信先の携帯端末に送信し、上記第３の圧縮率が上記最大圧縮率より大きい場合には、上記最大圧縮率で上記復号化された画像データを圧縮して第３の圧縮画像データを求めるとともに、上記送信元の携帯端末の所持者に上記メッセージの変更を促し、変更されたメッセージのデータサイズと上記第３の圧縮画像データのデータサイズとの合計が上記第１の最大メールサイズ以下である場合には上記第３の圧縮画像データを上記変更されたメッセージに添付して上記回線を介して上記送信先の携帯端末に送信する第６のステップと、上記第４の圧縮率が、上記送信元の携帯端末で使用される画像データのファイル・フォーマットにおける最大圧縮率以下である場合には、上記第４の圧縮率で上記復号化された画像データを圧縮して求めた第４の圧縮画像データを上記メッセージに添付して上記回線を介して上記送信先の携帯端末に送信し、上記第４の圧縮率が上記最大圧縮率より大きい場合には、上記最大圧縮率で上記復号化された画像データを圧縮して第５の圧縮画像データを求めるとともに、上記所持者に上記メッセージの変更を促し、変更されたメッセージのデータサイズと上記第５の圧縮画像データのデータサイズとの合計が上記第３の最大メールサイズ以下である場合には上記第５の圧縮画像データを上記変更されたメッセージに添付して上記回線を介して上記送信先の携帯端末に送信する第７のステップとを有することを特徴としている。
【００１４】
また、請求項８記載の発明は、請求項７記載の圧縮画像データ送信方法に係り、上記第３のステップでは、上記メモリダイヤルデータ内に上記送信先回線種別又は上記第１の最大メールサイズが設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、上記第１の圧縮画像データのデータサイズと上記メッセージのデータサイズとの合計が、回答された、上記送信先回線種別に対応した回線、上記機種に対応した回線、あるいは上記接続可能な回線に、設定されている送受信可能な電子メールのデータサイズの最大値である第４の最大メールサイズ又は、上記第１の最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第４又は第１の最大メールサイズより大きい場合には、上記第１の圧縮画像データを復号化することを特徴としている。
【００１５】
また、請求項９記載の発明は、送信元の携帯端末を構成するカメラで撮影された画像データを圧縮して求めた圧縮画像データを上記送信元の携帯端末で作成された電子メールのメッセージに添付して上記送信元の携帯端末で使用可能な回線を介して送信先の携帯端末に送信する圧縮画像データ送信方法に係り、上記送信元の携帯端末の現在地に存在する移動体通信網において接続可能な回線を判定する第１のステップと、上記送信元の携帯端末を構成する記憶部に記憶されている送信先の電話番号を管理するためのメモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合には、上記第１の最大メールサイズ又は、上記第１のステップで判定された回線で送受信可能な電子メールのデータサイズの最大値である第２の最大メールサイズのうち、小さい方から上記メッセージのデータサイズを減算した結果を上記画像データのデータサイズで除算して上記画像データの第１の圧縮率を算出する第２のステップと、上記メモリダイヤルデータ内に上記送信先回線種別又は上記第１の最大メールサイズが設定されていない場合には、上記第１の最大メールサイズ又は、上記送信元の携帯端末が使用可能な回線ごとに設定されている送受信可能な電子メールのデータサイズの最大値である第２の最大メールサイズのうち、最も小さいものを示す第３の最大メールサイズのうち、小さい方から上記メッセージのデータサイズを減算した結果を上記画像データのデータサイズで除算して上記画像データの第２の圧縮率を算出する第３のステップと、上記第１の圧縮率が、上記送信元の携帯端末で使用される画像データのファイル・フォーマットにおける最大圧縮率以下である場合には、上記第１の圧縮率で上記画像データを圧縮して求めた第１の圧縮画像データを上記メッセージに添付して上記回線を介して上記送信先の携帯端末に送信し、上記第１の圧縮率が上記最大圧縮率より大きい場合には、上記最大圧縮率で上記画像データを圧縮して第２の圧縮画像データを求めるとともに、上記送信元の携帯端末の所持者に上記メッセージの変更を促し、変更されたメッセージのデータサイズと上記第２の圧縮画像データのデータサイズとの合計が上記最大メールサイズ以下である場合には上記第２の圧縮画像データを上記変更されたメッセージに添付して上記回線を介して上記送信先の携帯端末に送信する第４のステップと、上記第２の圧縮率が上記最大圧縮率以下である場合には、上記第２の圧縮率で上記画像データを圧縮して求めた第３の圧縮画像データを上記メッセージに添付して上記回線を介して上記送信先の携帯端末に送信し、上記第２の圧縮率が上記最大圧縮率より大きい場合には、上記最大圧縮率で上記画像データを圧縮して第４の圧縮画像データを求めるとともに、上記所持者に上記メッセージの変更を促し、変更されたメッセージのデータサイズと上記第４の圧縮画像データのデータサイズとの合計が上記最大メールサイズ以下である場合には上記第４の圧縮画像データを上記変更されたメッセージに添付して上記回線を介して上記送信先の携帯端末に送信する第５のステップとを有することを特徴としている。
【００１６】
また、請求項１０記載の発明は、請求項９記載の圧縮画像データ送信方法に係り、上記第３のステップでは、上記メモリダイヤルデータ内に上記送信先回線種別又は上記第１の最大メールサイズが設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、回答された、上記送信先回線種別に対応した回線、上記機種に対応した回線、あるいは上記接続可能な回線に、設定されている送受信可能な電子メールのデータサイズの最大値である第４の最大メールサイズ若しくは上記第１の最大メールサイズ又は上記第３の最大メールサイズのうち、小さい方から上記メッセージのデータサイズを減算した結果を上記画像データのデータサイズで除算して上記画像データの第２の圧縮率を算出することを特徴としている。
【００１７】
また、請求項１１記載の発明は、送信元の携帯端末を構成するカメラで撮影された画像データを圧縮して求めた圧縮画像データを上記送信元の携帯端末で作成された電子メールのメッセージに添付して上記送信元の携帯端末で使用可能な回線を介して送信先の携帯端末に送信する圧縮画像データ送信方法に係り、上記カメラで撮影された画像データを第１の圧縮率で圧縮して第１の圧縮画像データを求める第１のステップと、上記送信元の携帯端末の現在地に存在する移動体通信網において接続可能な回線を判定する第２のステップと、上記送信元の携帯端末を構成する記憶部に記憶されている送信先の電話番号を管理するためのメモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合には、上記第１の最大メールサイズ又は、上記第２のステップで判定された回線で送受信可能な電子メールのデータサイズの最大値である第２の最大メールサイズのうち、小さい方を選択する第３のステップと、上記メモリダイヤルデータ内に上記送信先回線種別が設定されていない場合には、上記送信元の携帯端末が使用可能な回線ごとに設定されている送受信可能な電子メールのデータサイズの最大値である第３の最大メールサイズのうち、最も小さいものを示す第４の最大メールサイズ又は、上記第２の最大メールサイズのうち、小さい方を選択する第４のステップと、上記第１の圧縮画像データのデータサイズと上記メッセージのデータサイズとの合計が、上記第３のステップで選択された最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第３のステップで選択された最大メールサイズより大きい場合には、上記第１の圧縮画像データを復号化する第５のステップと、上記第１の圧縮画像データのデータサイズと上記メッセージのデータサイズとの合計が、上記第４のステップで選択された最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第４のステップで選択された最大メールサイズより大きい場合には、上記第１の圧縮画像データを復号化する第６のステップと、上記第３のステップで選択された最大メールサイズから上記メッセージのデータサイズを減算した結果を上記復号化された画像データのデータサイズで除算して上記復号化された画像データの第２の圧縮率を算出する第７のステップと、上記第４のステップで選択された最大メールサイズから上記メッセージのデータサイズを減算した結果を上記復号化された画像データのデータサイズで除算して上記復号化された画像データの第３の圧縮率を算出する第８のステップと、上記第２の圧縮率が、上記送信元の携帯端末で使用される画像データのファイル・フォーマットにおける最大圧縮率以下である場合には、上記第２の圧縮率で上記復号化された画像データを圧縮して求めた第２の圧縮画像データを上記メッセージに添付して上記回線を介して上記送信先の携帯端末に送信し、上記第２の圧縮率が上記最大圧縮率より大きい場合には、上記最大圧縮率で上記復号化された画像データを圧縮して第３の圧縮画像データを求めるとともに、上記送信元の携帯端末の所持者に上記メッセージの変更を促し、変更されたメッセージのデータサイズと上記第３の圧縮画像データのデータサイズとの合計が上記最大メールサイズ以下である場合には、上記第３の圧縮画像データを上記変更されたメッセージに添付して上記回線を介して上記送信先の携帯端末に送信する第９のステップと、上記第３の圧縮率が、上記最大圧縮率以下である場合には、上記第３の圧縮率で上記復号化された画像データを圧縮して求めた第４の圧縮画像データを上記メッセージに添付して上記回線を介して上記送信先の携帯端末に送信し、上記第３の圧縮率が上記最大圧縮率より大きい場合には、上記最大圧縮率で上記復号化された画像データを圧縮して第５の圧縮画像データを求めるとともに、上記所持者に上記メッセージの変更を促し、変更されたメッセージのデータサイズと上記第５の圧縮画像データのデータサイズとの合計が上記最大メールサイズ以下である場合には、上記第５の圧縮画像データを上記変更されたメッセージに添付して上記回線を介して上記送信先の携帯端末に送信する第１０のステップとを有することを特徴としている。
【００１８】
また、請求項１２記載の発明は、請求項１１記載の圧縮画像データ送信方法に係り、上記第４のステップでは、上記メモリダイヤルデータ内に上記送信先回線種別が設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、回答された、上記送信先回線種別に対応した回線、上記機種に対応した回線、あるいは上記接続可能な回線に、設定されている送受信可能な電子メールのデータサイズの最大値である第５の最大メールサイズ若しくは上記第１の最大メールサイズ又は上記第２の最大メールサイズのうち、小さい方を選択することを特徴としている。
【００１９】
また、請求項１３記載の発明に係る圧縮画像データ送信プログラムは、コンピュータに請求項１乃至１２のいずれか１に記載の機能を実現させることを特徴としている。
【００２０】
また、請求項１４記載の発明は、カメラで撮影された画像データを圧縮して得られた圧縮画像データを電子メールのメッセージに添付して回線を介して他の携帯端末に送信する携帯端末に係り、上記回線で送受信可能な電子メールのデータサイズの最大値である最大メールサイズから上記メッセージのデータサイズを減算した結果を上記画像データのデータサイズで除算して上記画像データの圧縮率を算出する圧縮サイズ判定部と、上記画像データを圧縮する画像圧縮部と、上記圧縮率が、使用される画像データのファイル・フォーマットにおける最大圧縮率以下である場合には、上記画像圧縮部に上記圧縮率で上記画像データを圧縮させることにより得られた第１の圧縮画像データを上記メッセージに添付して上記回線を介して上記他の携帯端末に送信し、上記圧縮率が上記最大圧縮率より大きい場合には、上記画像圧縮部に上記最大圧縮率で上記画像データを圧縮させることにより第２の圧縮画像データを得るとともに、所持者に上記メッセージの変更を促し、変更されたメッセージのデータサイズと上記第２の圧縮画像データのデータサイズとの合計が上記最大メールサイズ以下である場合には上記第２の圧縮画像データを上記変更されたメッセージに添付して上記回線を介して上記他の携帯端末に送信する制御部とを備えてなることを特徴としている。
【００２１】
また、請求項１５記載の発明は、カメラで撮影された画像データを圧縮して得られた圧縮画像データを電子メールのメッセージに添付して回線を介して他の携帯端末に送信する携帯端末に係り、上記画像データを圧縮するとともに、上記圧縮画像データを復号化する画像圧縮伸張部と、上記画像データの圧縮率を算出する圧縮サイズ判定部と、上記カメラで撮影された画像データを上記画像圧縮伸張部に第１の圧縮率で圧縮させることにより第１の圧縮画像データを得るとともに、上記第１の圧縮画像データのデータサイズと上記メッセージのデータサイズとの合計が、上記回線で送受信可能な電子メールのデータサイズの最大値である最大メールサイズ以下である場合には、上記第１の圧縮画像データを上記メッセージに添付して上記回線を介して上記他の携帯端末に送信し、上記第１の圧縮画像データのデータサイズと上記メッセージのデータサイズとの合計が、上記最大メールサイズより大きい場合には、上記画像圧縮伸張部に上記第１の圧縮画像データを復号化させ、上記圧縮サイズ判定部に上記最大メールサイズから上記メッセージのデータサイズを減算させた結果を上記復号化された画像データのデータサイズで除算させて上記復号化された画像データの第２の圧縮率を算出させ、上記第２の圧縮率が、使用される画像データのファイル・フォーマットにおける最大圧縮率以下である場合には、上記画像圧縮伸張部に上記第２の圧縮率で上記復号化された画像データを圧縮させることにより得られた第２の圧縮画像データを上記メッセージに添付して上記回線を介して上記他の携帯端末に送信し、上記第２の圧縮率が上記最大圧縮率より大きい場合には、上記画像圧縮伸張部に上記最大圧縮率で上記復号化された画像データを圧縮させることにより第３の圧縮画像データを得るとともに、所持者に上記メッセージの変更を促し、変更されたメッセージのデータサイズと上記第３の圧縮画像データのデータサイズとの合計が上記最大メールサイズ以下である場合には上記第３の圧縮画像データを上記変更されたメッセージに添付して上記回線を介して上記他の携帯端末に送信する制御部とを備えてなることを特徴としている。
【００２２】
また、請求項１６記載の発明は、カメラで撮影された画像データを圧縮して得られた圧縮画像データを電子メールのメッセージに添付して回線を介して他の携帯端末に送信する携帯端末に係り、現在地に存在する移動体通信網において接続可能な回線を判定する送信回線判定部と、上記送信回線判定部により判定された回線で送受信可能な電子メールのデータサイズの最大値である最大メールサイズから上記メッセージのデータサイズを減算した結果を上記画像データのデータサイズで除算して上記画像データの圧縮率を算出する圧縮サイズ判定部と、上記画像データを圧縮する画像圧縮部と、上記圧縮率が、使用される画像データのファイル・フォーマットにおける最大圧縮率以下である場合には、上記画像圧縮部に上記圧縮率で上記画像データを圧縮させることにより得られた第１の圧縮画像データを上記メッセージに添付して上記回線を介して上記他の携帯端末に送信し、上記圧縮率が上記最大圧縮率より大きい場合には、上記画像圧縮部に上記最大圧縮率で上記画像データを圧縮させることにより第２の圧縮画像データを得るとともに、所持者に上記メッセージの変更を促し、変更されたメッセージのデータサイズと上記第２の圧縮画像データのデータサイズとの合計が上記最大メールサイズ以下である場合には上記第２の圧縮画像データを上記変更されたメッセージに添付して上記回線を介して上記他の携帯端末に送信する制御部とを有することを特徴としている。
【００２３】
また、請求項１７記載の発明は、カメラで撮影された画像データを圧縮して得られた圧縮画像データを電子メールのメッセージに添付して回線を介して他の携帯端末に送信する携帯端末に係り、上記画像データを圧縮するとともに、上記圧縮画像データを復号化する画像圧縮伸張部と、現在地に存在する移動体通信網において接続可能な回線を判定する送信回線判定部と、上記画像データの圧縮率を算出する圧縮サイズ判定部と、上記カメラで撮影された画像データを上記画像圧縮伸張部に第１の圧縮率で圧縮させることにより第１の圧縮画像データを得るとともに、上記第１の圧縮画像データのデータサイズと上記メッセージのデータサイズとの合計が、上記送信回線判定部により判定された回線で送受信可能な電子メールのデータサイズの最大値である最大メールサイズ以下である場合には、上記第１の圧縮画像データを上記メッセージに添付して上記回線を介して上記他の携帯端末に送信し、上記第１の圧縮画像データのデータサイズと上記メッセージのデータサイズとの合計が、上記最大メールサイズより大きい場合には、上記画像圧縮伸張部に上記第１の圧縮画像データを復号化させ、上記圧縮サイズ判定部に上記最大メールサイズから上記メッセージのデータサイズを減算させた結果を上記復号化された画像データのデータサイズで除算させて上記復号化された画像データの第２の圧縮率を算出させ、上記第２の圧縮率が、使用される画像データのファイル・フォーマットにおける最大圧縮率以下である場合には、上記画像圧縮伸張部に上記第２の圧縮率で上記復号化された画像データを圧縮させることにより得られた第２の圧縮画像データを上記メッセージに添付して上記回線を介して上記他の携帯端末に送信し、上記第２の圧縮率が上記最大圧縮率より大きい場合には、上記画像圧縮伸張部に上記最大圧縮率で上記復号化された画像データを圧縮させて第３の圧縮画像データを得るとともに、所持者に上記メッセージの変更を促し、変更されたメッセージのデータサイズと上記第３の圧縮画像データのデータサイズとの合計が上記最大メールサイズ以下である場合には上記第３の圧縮画像データを上記変更されたメッセージに添付して上記回線を介して上記他の携帯端末に送信する制御部とを備えてなることを特徴としている。
【００２４】
また、請求項１８記載の発明は、カメラで撮影された画像データを圧縮して得られた圧縮画像データを電子メールのメッセージに添付して回線を介して送信先の携帯端末に送信する携帯端末に係り、送信先の電話番号を管理するためのメモリダイヤルデータが記憶される記憶部と、上記画像データの圧縮率を算出する圧縮サイズ判定部と、上記画像データを圧縮する画像圧縮部と、上記メモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合には、上記圧縮サイズ判定部に、上記第１の最大メールサイズから上記メッセージのデータサイズを減算させた結果を上記画像データのデータサイズで除算させて上記画像データの第１の圧縮率を算出させ、上記メモリダイヤルデータ内に上記送信先回線種別又は上記第１の最大メールサイズが設定されていない場合には、上記圧縮サイズ判定部に、上記送信元の携帯端末が使用可能な回線ごとに設定されている送受信可能な電子メールのデータサイズの最大値である第２の最大メールサイズのうち、最も小さいものを示す第３の最大メールサイズから上記メッセージのデータサイズを減算させた結果を上記画像データのデータサイズで除算させて上記画像データの第２の圧縮率を算出させ、上記第１又は第２の圧縮率が、使用される画像データのファイル・フォーマットにおける最大圧縮率以下である場合には、上記画像圧縮部に上記第１又は第２の圧縮率で上記画像データを圧縮させることにより得られた第１の圧縮画像データを上記メッセージに添付して上記回線を介して上記送信先の携帯端末に送信し、上記第１又は第２の圧縮率が上記最大圧縮率より大きい場合には、上記画像圧縮部に上記最大圧縮率で上記画像データを圧縮させることにより第２の圧縮画像データを得るとともに、所持者に上記メッセージの変更を促し、変更されたメッセージのデータサイズと上記第２の圧縮画像データのデータサイズとの合計が上記第１又は第３の最大メールサイズ以下である場合には上記第２の圧縮画像データを上記変更されたメッセージに添付して上記回線を介して上記送信先の携帯端末に送信する制御部とを備えてなることを特徴としている。
【００２５】
また、請求項１９記載の発明は、請求項１８記載の携帯端末に係り、上記制御部は、上記メモリダイヤルデータ内に上記送信先回線種別が設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、上記圧縮サイズ判定部に、回答された、上記送信先回線種別に対応した回線、上記機種に対応した回線、あるいは上記接続可能な回線に、設定されている送受信可能な電子メールのデータサイズの最大値である第４の最大メールサイズ又は、上記第１の最大メールサイズから上記メッセージのデータサイズを減算させた結果を上記画像データのデータサイズで除算させて上記画像データの第２の圧縮率を算出させることを特徴としている。
【００２６】
また、請求項２０記載の発明は、カメラで撮影された画像データを圧縮して得られた圧縮画像データを電子メールのメッセージに添付して回線を介して送信先の携帯端末に送信する携帯端末に係り、送信先の電話番号を管理するためのメモリダイヤルデータが記憶される記憶部と、上記画像データの圧縮率を算出する圧縮サイズ判定部と、上記画像データを圧縮するとともに、上記圧縮画像データを復号化する画像圧縮伸張部と、上記カメラで撮影された画像データを上記画像圧縮伸張部に第１の圧縮率で圧縮させることにより第１の圧縮画像データを得るとともに、上記メモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合であって、上記第１の圧縮画像データのデータサイズと上記メッセージのデータサイズとの合計が、上記第１の最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第１の最大メールサイズより大きい場合には、上記画像圧縮伸張部に上記第１の圧縮画像データを復号化させ、上記メモリダイヤルデータ内に上記送信先回線種別又は上記第１の最大メールサイズが設定されていない場合であって、上記第１の圧縮画像データのデータサイズと上記メッセージのデータサイズとの合計が、使用可能な回線ごとに設定されている送受信可能な電子メールのデータサイズの最大値である第２の最大メールサイズのうち、最も小さいものを示す第３の最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第３の最大メールサイズより大きい場合には、上記画像圧縮伸張部に上記第１の圧縮画像データを復号化させ、上記圧縮サイズ判定部に、上記第１の最大メールサイズから上記メッセージのデータサイズを減算させた結果を上記復号化された画像データのデータサイズで除算させて上記復号化された画像データの第３の圧縮率を算出させるとともに、上記第３の最大メールサイズから上記メッセージのデータサイズを減算させた結果を上記復号化された画像データのデータサイズで除算させて上記復号化された画像データの第４の圧縮率を算出させ、上記第３の圧縮率が、上記送信元の携帯端末で使用される画像データのファイル・フォーマットにおける最大圧縮率以下である場合には、上記画像圧縮伸張部に上記第３の圧縮率で上記復号化された画像データを圧縮させることにより得られた第２の圧縮画像データを上記メッセージに添付して上記回線を介して上記送信先の携帯端末に送信し、上記第３の圧縮率が上記最大圧縮率より大きい場合には、上記画像圧縮伸張部に上記最大圧縮率で上記復号化された画像データを圧縮させることにより第３の圧縮画像データを得るとともに、所持者に上記メッセージの変更を促し、変更されたメッセージのデータサイズと上記第３の圧縮画像データのデータサイズとの合計が上記第１の最大メールサイズ以下である場合には上記第３の圧縮画像データを上記変更されたメッセージに添付して上記回線を介して上記送信先の携帯端末に送信し、上記第４の圧縮率が、上記送信元の携帯端末で使用される画像データのファイル・フォーマットにおける最大圧縮率以下である場合には、上記画像圧縮伸張部に上記第４の圧縮率で上記復号化された画像データを圧縮させることにより得られた第４の圧縮画像データを上記メッセージに添付して上記回線を介して上記送信先の携帯端末に送信し、上記第４の圧縮率が上記最大圧縮率より大きい場合には、上記画像圧縮伸張部に上記最大圧縮率で上記復号化された画像データを圧縮させることにより第５の圧縮画像データを得るとともに、上記所持者に上記メッセージの変更を促し、変更されたメッセージのデータサイズと上記第５の圧縮画像データのデータサイズとの合計が上記第３の最大メールサイズ以下である場合には上記第５の圧縮画像データを上記変更されたメッセージに添付して上記回線を介して上記送信先の携帯端末に送信する制御部とを備えてなることを特徴としている。
【００２７】
また、請求項２１記載の発明は、請求項２０記載の携帯端末に係り、上記制御部は、上記メモリダイヤルデータ内に上記送信先回線種別が設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、上記第１の圧縮画像データのデータサイズと上記メッセージのデータサイズとの合計が、回答された、上記送信先回線種別に対応した回線、上記機種に対応した回線、あるいは上記接続可能な回線に、設定されている送受信可能な電子メールのデータサイズの最大値である第４の最大メールサイズ又は、上記第１の最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記第４又は第１の最大メールサイズより大きい場合には、上記画像圧縮伸張部に上記第１の圧縮画像データを復号化させることを特徴としている。
【００２８】
また、請求項２２記載の発明は、カメラで撮影された画像データを圧縮して得られた圧縮画像データを電子メールのメッセージに添付して回線を介して送信先の携帯端末に送信する携帯端末に係り、現在地に存在する移動体通信網において接続可能な回線を判定する送信回線判定部と、送信先の電話番号を管理するためのメモリダイヤルデータが記憶される記憶部と、上記画像データの圧縮率を算出する圧縮サイズ判定部と、上記画像データを圧縮する画像圧縮部と、上記メモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合には、上記圧縮サイズ判定部に、上記第１の最大メールサイズ又は、上記送信回線判定部により判定された回線で送受信可能な電子メールのデータサイズの最大値である第２の最大メールサイズのうち、小さい方から上記メッセージのデータサイズを減算させた結果を上記画像データのデータサイズで除算させて上記画像データの第１の圧縮率を算出させ、上記メモリダイヤルデータ内に上記送信先回線種別又は上記第１の最大メールサイズが設定されていない場合には、上記圧縮サイズ判定部に、上記第１の最大メールサイズ又は、使用可能な回線ごとに設定されている送受信可能な電子メールのデータサイズの最大値である第２の最大メールサイズのうち、最も小さいものを示す第３の最大メールサイズのうち、小さい方から上記メッセージのデータサイズを減算させた結果を上記画像データのデータサイズで除算させて上記画像データの第２の圧縮率を算出させ、上記第１の圧縮率が、使用される画像データのファイル・フォーマットにおける最大圧縮率以下である場合には、上記画像圧縮部に上記第１の圧縮率で上記画像データを圧縮させることにより得られた第１の圧縮画像データを上記メッセージに添付して上記回線を介して上記送信先の携帯端末に送信し、上記第１の圧縮率が上記最大圧縮率より大きい場合には、上記画像圧縮部に上記最大圧縮率で上記画像データを圧縮させることにより第２の圧縮画像データを得るとともに、所持者に上記メッセージの変更を促し、変更されたメッセージのデータサイズと上記第２の圧縮画像データのデータサイズとの合計が上記最大メールサイズ以下である場合には上記第２の圧縮画像データを上記変更されたメッセージに添付して上記回線を介して上記送信先の携帯端末に送信し、上記第２の圧縮率が上記最大圧縮率以下である場合には、上記画像圧縮部に上記第２の圧縮率で上記画像データを圧縮させることにより得られた第３の圧縮画像データを上記メッセージに添付して上記回線を介して上記送信先の携帯端末に送信し、上記第２の圧縮率が上記最大圧縮率より大きい場合には、上記画像圧縮部に上記最大圧縮率で上記画像データを圧縮させることにより第４の圧縮画像データを得るとともに、上記所持者に上記メッセージの変更を促し、変更されたメッセージのデータサイズと上記第４の圧縮画像データのデータサイズとの合計が上記最大メールサイズ以下である場合には上記第４の圧縮画像データを上記変更されたメッセージに添付して上記回線を介して上記送信先の携帯端末に送信する制御部とを備えてなることを特徴としている。
【００２９】
また、請求項２３記載の発明は、請求項２２記載の携帯端末に係り、上記制御部は、上記メモリダイヤルデータ内に上記送信先回線種別が設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、上記圧縮サイズ判定部に、回答された、上記送信先回線種別に対応した回線、上記機種に対応した回線、あるいは上記接続可能な回線に、設定されている送受信可能な電子メールのデータサイズの最大値である第４の最大メールサイズ若しくは上記第１の最大メールサイズ又は上記第３の最大メールサイズのうち、小さい方から上記メッセージのデータサイズを減算させた結果を上記画像データのデータサイズで除算させて上記画像データの第２の圧縮率を算出させることを特徴としている。
【００３０】
また、請求項２４記載の発明は、カメラで撮影された画像データを圧縮して得られた圧縮画像データを電子メールのメッセージに添付して回線を介して送信先の携帯端末に送信する携帯端末に係り、現在地に存在する移動体通信網において接続可能な回線を判定する送信回線判定部と、送信先の電話番号を管理するためのメモリダイヤルデータが記憶される記憶部と、上記画像データの圧縮率を算出する圧縮サイズ判定部と、上記画像データを圧縮するとともに、上記圧縮画像データを復号化する画像圧縮伸張部と、上記メモリダイヤルデータ内に、上記送信先の電話番号とともに、上記送信先の携帯端末が使用可能な回線の種別である送信先回線種別又は、上記送信先回線種別に対応した回線で送受信可能な電子メールのデータサイズの最大値である第１の最大メールサイズが既に設定されている場合には、上記第１の最大メールサイズ又は、上記第２のステップで判定された回線で送受信可能な電子メールのデータサイズの最大値である第２の最大メールサイズのうち、小さい方を選択し、上記第１の圧縮画像データのデータサイズと上記メッセージのデータサイズとの合計が、上記選択した最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記選択した最大メールサイズより大きい場合には、上記画像圧縮伸張部に上記第１の圧縮画像データを復号化させ、上記圧縮サイズ判定部に、上記選択した最大メールサイズから上記メッセージのデータサイズを減算させた結果を上記復号化された画像データのデータサイズで除算して上記復号化された画像データの第２の圧縮率を算出させ、上記メモリダイヤルデータ内に上記送信先回線種別が設定されていない場合には、使用可能な回線ごとに設定されている送受信可能な電子メールのデータサイズの最大値である第３の最大メールサイズのうち、最も小さいものを示す第４の最大メールサイズ又は、上記第２の最大メールサイズのうち、小さい方を選択し、上記第１の圧縮画像データのデータサイズと上記メッセージのデータサイズとの合計が、上記選択した最大メールサイズ以下である場合には、上記第１の圧縮画像データを上記メッセージに添付して上記回線を介して上記送信先の携帯端末に送信し、上記第１の圧縮画像データのデータサイズと上記メッセージのデータサイズとの合計が、上記選択した最大メールサイズより大きい場合には、上記画像圧縮伸張部に上記第１の圧縮画像データを復号化させ、上記圧縮サイズ判定部に、上記選択した最大メールサイズから上記メッセージのデータサイズを減算させた結果を上記復号化された画像データのデータサイズで除算させて上記復号化された画像データの第３の圧縮率を算出させ、上記第２の圧縮率が、使用される画像データのファイル・フォーマットにおける最大圧縮率以下である場合には、上記画像圧縮伸張部に上記第２の圧縮率で上記復号化された画像データを圧縮させることにより得られた第２の圧縮画像データを上記メッセージに添付して上記回線を介して上記送信先の携帯端末に送信し、上記第２の圧縮率が上記最大圧縮率より大きい場合には、上記画像圧縮伸張部に上記最大圧縮率で上記復号化された画像データを圧縮させることにより第３の圧縮画像データを得るとともに、所持者に上記メッセージの変更を促し、変更されたメッセージのデータサイズと上記第３の圧縮画像データのデータサイズとの合計が上記最大メールサイズ以下である場合には、上記第３の圧縮画像データを上記変更されたメッセージに添付して上記回線を介して上記送信先の携帯端末に送信し、上記第３の圧縮率が、上記最大圧縮率以下である場合には、上記画像圧縮伸張部に上記第３の圧縮率で上記復号化された画像データを圧縮させることにより得られた第４の圧縮画像データを上記メッセージに添付して上記回線を介して上記送信先の携帯端末に送信し、上記第３の圧縮率が上記最大圧縮率より大きい場合には、上記画像圧縮伸張部に上記最大圧縮率で上記復号化された画像データを圧縮させることにより第５の圧縮画像データを得るとともに、上記所持者に上記メッセージの変更を促し、変更されたメッセージのデータサイズと上記第５の圧縮画像データのデータサイズとの合計が上記最大メールサイズ以下である場合には、上記第５の圧縮画像データを上記変更されたメッセージに添付して上記回線を介して上記送信先の携帯端末に送信する制御部とを備えてなることを特徴としている。
【００３１】
また、請求項２５記載の発明は、請求項２４記載の携帯端末に係り、上記制御部は、上記メモリダイヤルデータ内に上記送信先回線種別が設定されていない場合には、上記回線を介して上記送信先の携帯端末にアクセスし、上記送信先の携帯端末の上記送信先回線種別、上記送信先の携帯端末の機種、上記第１の最大メールサイズ、あるいは上記送信先の携帯端末の現在地に存在する移動体通信網において接続可能な回線を問い合わせ、回答された、上記送信先回線種別に対応した回線、上記機種に対応した回線、あるいは上記接続可能な回線に、設定されている送受信可能な電子メールのデータサイズの最大値である第５の最大メールサイズ若しくは上記第１の最大メールサイズ又は上記第２の最大メールサイズのうち、小さい方を選択することを特徴としている。
【００３２】
【発明の実施の形態】
以下、図面を参照して、この発明の実施の形態について説明する。説明は、実施例を用いて具体的に行う。
Ａ．第１の実施例
まず、この発明の第１の実施例について説明する。
図１は、この発明の第１の実施例である圧縮画像データ送信方法を適用した携帯電話の構成を示すブロック図である。
この例の携帯電話は、アンテナ１と、無線制御部２と、制御部３と、メイン記憶部４と、画像記憶部５と、操作部６と、スピーカ７と、マイク８と、カメラ部９と、表示部１０と、画像圧縮伸張部１１と、圧縮サイズ判定部１２とから構成されている。
【００３３】
無線制御部２は、基地局又は室内に設置された親機（ともに図示略）から送信される無線信号をアンテナ１を介して受信して無線信号から音声信号、画像データ、通信データ、あるいは制御信号を復調して制御部３に供給するととともに、制御部３から供給される音声信号、画像データ、通信データ、あるいは制御信号を無線信号に変調してアンテナ１を介して上記基地局又は親機に送信する。制御部３は、中央処理装置（ＣＰＵ）、デジタルシグナルプロセッサ（ＤＳＰ）、シーケンサ等からなり、メイン記憶部４に記憶されたプログラム等を実行することにより、この携帯電話の各部を制御する。また、制御部３は、無線制御部２から供給される制御信号を制御部３内部の処理に用い、また、無線制御部２から供給される音声信号を処理してスピーカ７に供給し、マイク８から供給される音声信号を処理して無線制御部２に供給する。さらに、制御部３は、無線制御部２から供給される画像データや通信データ、メイン記憶部４に記憶されている文字データや画像記憶部５に記憶されている画像データに基づいて、表示部１０に文字や画像を表示するために、表示部１０を制御する。
【００３４】
メイン記憶部４は、ＲＡＭやＲＯＭ、あるいはフラッシュメモリ等の半導体メモリからなり、制御部３が実行する画像データ送信プログラム等の各種プログラムや、ユーザが操作部６を操作することにより、設定した相手先の電話番号、入力した相手先に送信すべき電子メールのメッセージ、ＷＷＷ（Ｗｏｒｌｄ  Ｗｉｄｅ  Ｗｅｂ）サーバの各種コンテンツ提供者から提供されたコンテンツを示す音楽データ等が記憶される。圧縮画像データ送信プログラムの詳細については、図２〜図４を参照して後述する。画像記憶部５は、ＲＡＭやフラッシュメモリ等の半導体メモリからなり、相手先から送信された画像データ、ＷＷＷサーバの各種コンテンツ提供者から提供されたコンテンツを示す画像データ、カメラ部９によって撮影された画像データ等が記憶される。メイン記憶部４及び画像記憶部５は、説明をわかりやすくするために、図１では別個独立している例を示しているが、半導体メモリの対応する記憶領域を構成しているとしても良い。また、メイン記憶部４に記憶される各種プログラムや一部のデータについては、制御部３を構成するＣＰＵ内部に設けられたメモリに記憶されると構成しても良い。後述する第２及び第３の実施例においても同様である。
【００３５】
操作部６は、相手先の電話番号や電子メールの文章等の入力に用いられるテンキーや、カーソルキー、電源キー、メニューキー等の各種キーからなる。スピーカ７は、制御部３から供給される音声信号に基づいて音声を放出する。マイク８は、ユーザの音声を音声信号に変換して制御部３に供給する。カメラ部９は、例えば、７万画素〜１１万画素程度の解像度を有し、ユーザが操作部６を操作することにより、ユーザの顔や景色等を撮影し、画像データを表示部１０や制御部３に供給する。表示部１０は、例えば、液晶パネル、有機ＥＬ（ｅｌｅｃｔｒｏｌｕｍｉｎｅｓｃｅｎｃｅ）パネル、プラズマディスプレイパネル等からなり、現在の日付、相手先の電話番号等の各種情報が表示されたり、カメラ部９の撮影により求めた画像データや画像圧縮伸張部１１から供給される画像データ等が表示される。画像圧縮伸張部１１は、制御部３の制御の下、制御部３から供給される画像データや画像記憶部５に記憶されている画像データを圧縮したり、伸張したりする。圧縮サイズ判定部１２は、制御部３の制御の下、カメラ部９の撮影により求めた画像データの圧縮サイズを判定し、決定する。
【００３６】
この例では、画像データは、ＪＰＥＧ（ｊｏｉｎｔ  ｐｈｏｔｏｇｒａｐｈｉｃ  ｅｘｐｅｒｔｓ  ｇｒｏｕｐ）形式で圧縮されるものとする。ここで、ＪＰＥＧ形式とは、カラー静止画像の符号化方式の標準化を進めている国際標準化機構（ＩＳＯ；Ｉｎｔｅｒｎａｔｉｏｎａｌ  Ｏｒｇａｎｉｚａｔｉｏｎ  ｆｏｒ  Ｓｔａｎｄｅｒｄｉｚａｔｉｏｎ）と国際電気通信連合の電気通信標準化部門（ＩＴＵ−Ｔ；Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）との合同組織で標準化された静止画像の圧縮・伸張方式を用いた画像ファイルの形式をいう。このＪＰＥＧ形式は、写真のように、階調が連続的に変化する自然画像を記憶するのに適したフォーマットであり、人間の目は明るさの変化には敏感だが、色の変化に比較的鈍感であるという性質を利用して色データを間引くことにより、データの圧縮率を高めている。このＪＰＥＧ形式によれば、データの圧縮率の変更により静止画のデータ・サイズを１／１０〜１／１００に圧縮することができるため、現在のデジタル・カメラのほとんどは、記憶画像のファイル形式にこのＪＰＥＧ形式を使用している。
なお、携帯電話においては、現在、画像データを、ＧＩＦ（Ｇｒａｐｈｉｃｓ  Ｉｎｔｅｒｃｈａｎｇｅ  Ｆｏｒｍａｔ）形式や、ＰＮＧ（Ｐｏｒｔａｂｌｅ  Ｎｅｔｗｏｒｋ  Ｇｒａｐｈｉｃｓ）形式で圧縮するものもあるが、これらの形式においては現段階の規格では圧縮率が固定されている。したがって、現段階においては、この発明は、画像データがＪＰＥＧ形式で圧縮される場合にのみ適用される。しかし、将来、画像データをＧＩＦ形式やＰＮＧ形式で圧縮する場合でも圧縮率が変更可能となれば、この発明は、当然ながらこれらの形式で画像データを圧縮する場合にも適用される。
【００３７】
次に、上記構成の携帯電話の動作の一部について、図２〜図４に示すフローチャートを参照して説明する。まず、前提として、この例の携帯電話が使用可能な回線はパケット回線であり、最大メールサイズは１２ｋバイトであるとする。また、メッセージに圧縮画像データを添付する場合、カメラ部９により撮影される画像に対応した画像データの標準的なデータサイズを２２０ｋバイトと想定し、メッセージの最大データサイズが１ｋバイト、画像データの最大データサイズが１１ｋバイトに設定されているものとする。そして、画像圧縮伸張部１１における初期値としての圧縮率（デフォルト圧縮率）は１／２０であるとする。
【００３８】
ユーザが操作部６を操作することにより、カメラ撮影モードの起動を指示すると、制御部３は、メイン記憶部４からカメラ撮影処理プログラムを読み出し、この携帯電話をカメラ撮影モードとする。すなわち、制御部３は、カメラ部９を起動する。これにより、カメラ部９は、ユーザによって向けられた方向に存在するユーザの顔や景色を画像データとして取り込み、表示部１０に供給する。表示部１０に表示された画像を確認したユーザが操作部６を操作することにより当該画像の撮影を指示すると、制御部３は、図２に示すステップＳＡ１の処理へ進み、カメラ部９を制御して画像の撮影を指示する。これにより、表示部１０には今撮影された画像が表示される。
【００３９】
次に、表示部１０に表示された画像を確認したユーザが操作部６を操作することにより当該画像に対応した画像データの電子メールへの添付を選択して、その旨を指示すると、制御部３は、当該画像データを電子メールに添付すると判断して（ステップＳＡ２の「ＹＥＳ」）、メイン記憶部４から圧縮画像データ送信処理プログラムを読み出し、この携帯電話を電子メール送信モードとする。すなわち、制御部３は、まず、当該圧縮画像データに添付すべきメッセージが既に作成されているか否かを判断する（ステップＳＡ３）。例えば、制御部３は、表示部１０に、「メッセージは作成済みですか？作成済みの場合には送信するメッセージを選択して下さい。まだの場合には＜メッセージ作成画面＞を選択して下さい。」と表示する。これに応じて、ユーザが操作部６を操作することにより作成済みのメッセージを選択した場合には、ステップＳＡ３の判断結果が「ＹＥＳ」となり、制御部３は、ステップＳＡ５へ進む。
【００４０】
一方、ユーザが操作部６を操作することによりメッセージを作成するために＜メッセージ作成画面＞を選択した場合には、ステップＳＡ３の判断結果が「ＮＯ」となり、制御部３は、ステップＳＡ４へ進む。ステップＳＡ４では、制御部３は、表示部１０に＜メッセージ作成画面＞を表示し、ユーザによる操作部６の操作に応じて表示部１０にメッセージを構成する文字（ひらがなや英数字及び変換後の漢字等）を順次表示していく。そして、ユーザが操作部６を操作することにより送信するメッセージを確定すると、制御部３は、ステップＳＡ５へ進む。
【００４１】
ステップＳＡ５では、制御部３は、圧縮サイズ判定部１２に圧縮率の算出を指示する。これにより、圧縮サイズ判定部１２は、以下に示す式（１）に基づいて圧縮率を算出した後、ステップＳＡ６へ進む。
Ｋ＝（Ａ−Ｂ）／Ｘ・・・（１）
式（１）において、Ｋは圧縮率、Ａは最大メールサイズ、Ｂは作成済みのメッセージのデータサイズ、ＸはステップＳＡ１の処理でカメラ部９が撮影した画像データのデータサイズを表す。例えば、Ａが１２ｋバイト、Ｂが１ｋバイト、Ｘが２２０ｋバイトとすると、圧縮率Ｋは１／２０となる。
ステップＳＡ６では、圧縮サイズ判定部１２は、ステップＳＡ５の処理で算出し圧縮率Ｋが使用する画像データのファイル・フォーマット（今の場合、ＪＰＥＧ形式）における最大圧縮率（例えば、１／１００）以下であるか否かを判断する。ステップＳＡ６の判断結果が「ＹＥＳ」の場合には、圧縮サイズ判定部１２は、ステップＳＡ７へ進む。
【００４２】
ステップＳＡ７では、圧縮サイズ判定部１２は、カメラ部９が取り込んだ画像データの、ステップＳＡ５の処理で算出した圧縮率Ｋでの圧縮を画像圧縮伸張部１１に指示した後、図３に示すステップＳＡ８へ進む。これにより、画像圧縮伸張部１１は、制御部３から供給された画像データを、圧縮サイズ判定部１２から通知された圧縮率Ｋで圧縮し、画像記憶部５へ記憶する。ステップＳＡ８では、制御部３は、電子メールのメッセージ内に圧縮された圧縮画像データを設定するメール編集処理を行った後、ステップＳＡ９へ進む。ステップＳＡ９では、制御部３は、無線制御部２を制御して、電子メールの送信を行うメール送信処理を行った後、一連の処理を終了する。これにより、無線制御部２は、制御部３から供給される画像データ、通信データ、あるいは制御信号を無線信号に変調してアンテナ１、基地局又は親機を介して図示せぬメールサーバに送信する。
【００４３】
一方、図２に示すステップＳＡ６の判断結果が「ＮＯ」の場合、すなわち、ステップＳＡ５の処理で算出し圧縮率Ｋが使用する画像データのファイル・フォーマット（今の場合、ＪＰＥＧ形式）における最大圧縮率（例えば、１／１００）より大きい場合には、圧縮サイズ判定部１２は、図３に示すステップＳＡ１０へ進む。ステップＳＡ１０では、圧縮サイズ判定部１２は、カメラ部９が取り込んだ画像データの、最大圧縮率（例えば、１／１００）での圧縮を画像圧縮伸張部１１に指示した後、その旨を制御部３に通知する。これにより、画像圧縮伸張部１１は、制御部３から供給された画像データを、圧縮サイズ判定部１２から通知された最大圧縮率で圧縮し、画像記憶部５へ記憶する。上記した通知を受けた制御部３は、ステップＳＡ１１へ進む。
【００４４】
ステップＳＡ１１では、制御部３は、表示部１０を制御して警告文を表示させた後、ステップＳＡ１２へ進む。表示部１０に表示する警告文としては、例えば、「このままでは画像は添付できません。メッセージの文字数を減らして下さい。」がある。ステップＳＡ１２では、制御部３は、メッセージ変更処理を実行する。すなわち、制御部３は、表示部１０に＜メッセージ修正画面＞を表示し、ユーザによる操作部６の操作に応じて表示部１０に表示されたメッセージを構成する文字（ひらがなや英数字及び変換後の漢字等）を順次削除又は修正しつつ表示していく。そして、ユーザが操作部６を操作することにより送信するメッセージを確定すると、制御部３は、ステップＳＡ１３へ進む。
【００４５】
ステップＳＡ１３では、制御部３は、ステップＳＡ１２の処理で変更したメッセージのデータサイズと、ステップＳＡ１０の処理で圧縮して求めた圧縮画像データのデータサイズとの合計が当該携帯電話が使用可能な回線の最大メールサイズ（今の場合、１２ｋバイト）以下であるか否かを判断する。ステップＳＡ１３の判断結果が「ＹＥＳ」の場合には、制御部３は、ステップＳＡ８へ進む。一方、ステップＳＡ１３の判断結果が「ＮＯ」の場合、すなわち、ステップＳＡ１２の処理で変更したメッセージのデータサイズと、ステップＳＡ１０の処理で圧縮して求めた圧縮画像データのデータサイズとの合計が当該携帯電話が使用可能な回線の最大メールサイズより大きい場合には、制御部３は、ステップＳＡ１４へ進む。ステップＳＡ１４では、制御部３は、表示部１０を制御して警告文を表示させた後、ステップＳＡ１５へ進む。例えば、制御部３は、表示部１０に、「画像は添付できません。メッセージのみの送信が可能です。メッセージのみの送信を希望される場合には＜メッセージ修正画面＞を選択して下さい。送信を希望されない場合には＜終了＞を選択して下さい。」と表示する。
【００４６】
これに応じて、ユーザが操作部６を操作することにより＜終了＞を選択した場合には、制御部３は、メッセージのみの送信は行わないと判断して（ステップＳＡ１５の「ＮＯ」）、一連の処理を終了する。一方、ユーザが操作部６を操作することにより＜メッセージ修正画面＞を選択した場合には、制御部３は、メッセージのみの送信を行うと判断して（ステップＳＡ１５の「ＹＥＳ」）、ステップＳＡ１６へ進む。ステップＳＡ１６では、制御部３は、メッセージ変更処理を実行する。すなわち、制御部３は、表示部１０に＜メッセージ修正画面＞を表示し、ユーザによる操作部６の操作に応じて表示部１０に表示されたメッセージを構成する文字（ひらがなや英数字及び変換後の漢字等）を順次削除、修正又は追加しつつ表示していく。そして、ユーザが操作部６を操作することにより送信するメッセージを確定すると、制御部３は、ステップＳＡ１７へ進む。ステップＳＡ１７では、制御部３は、無線制御部２を制御して、電子メールの送信を行うメール送信処理を行った後、一連の処理を終了する。これにより、無線制御部２は、制御部３から供給される画像データ、通信データ、あるいは制御信号を無線信号に変調してアンテナ１、基地局又は親機を介して図示せぬメールサーバに送信する。
【００４７】
一方、表示部１０に表示された画像を確認したユーザが操作部６を操作することにより当該画像に対応した画像データの電子メールへの添付を選択せず、内部の画像記憶部５への記憶を指示すると、制御部３は、当該画像データを電子メールに添付しないと判断して（図２に示すステップＳＡ２の「ＮＯ」）、カメラ部９から供給される画像データを画像圧縮伸張部１１に供給するとともに、圧縮サイズ判定部１２に当該画像データのデフォルト圧縮率（今の場合、１／２０）での圧縮を指示する。これにより、圧縮サイズ判定部１２は、カメラ部９が取り込んだ画像データのデフォルト圧縮率（今の場合、１／２０）での圧縮を画像圧縮伸張部１１に指示する。したがって、画像圧縮伸張部１１は、制御部３から供給された画像データを、圧縮サイズ判定部１２から通知されたデフォルト圧縮率（今の場合、１／２０）で圧縮し、画像記憶部５へ記憶した後、その旨を制御部３に通知する。上記した通知を受けた制御部３は、ステップＳＡ１９へ進む。
【００４８】
ステップＳＡ１９では、制御部３は、一旦画像記憶部５に記憶された圧縮画像データを電子メールへ添付するか否かを判断する。この判断結果が「ＮＯ」の場合には、制御部３は、同判断を繰り返す。そして、ユーザが操作部６を操作することにより圧縮画像データの電子メールへの添付を選択して、その旨を指示すると、制御部３は、当該圧縮画像データを電子メールに添付すると判断して（ステップＳＡ１９の「ＹＥＳ」）、メイン記憶部４から圧縮画像データ送信処理プログラムを読み出し、この携帯電話を電子メール送信モードとする。すなわち、制御部３は、まず、当該圧縮画像データに添付すべきメッセージが既に作成されているか否かを判断する（図４に示すステップＳＡ２０）。例えば、制御部３は、表示部１０に、「メッセージは作成済みですか？作成済みの場合には送信するメッセージを選択して下さい。まだの場合には＜メッセージ作成画面＞を選択して下さい。」と表示する。これに応じて、ユーザが操作部６を操作することにより作成済みのメッセージを選択した場合には、ステップＳＡ２０の判断結果が「ＹＥＳ」となり、制御部３は、ステップＳＡ２２へ進む。
【００４９】
一方、ユーザが操作部６を操作することによりメッセージを作成するために＜メッセージ作成画面＞を選択した場合には、ステップＳＡ２０の判断結果が「ＮＯ」となり、制御部３は、ステップＳＡ２１へ進む。ステップＳＡ２１では、制御部３は、表示部１０に＜メッセージ作成画面＞を表示し、ユーザによる操作部６の操作に応じて表示部１０にメッセージを構成する文字（ひらがなや英数字及び変換後の漢字等）を順次表示していく。そして、ユーザが操作部６を操作することにより送信するメッセージを確定すると、制御部３は、ステップＳＡ２２へ進む。
【００５０】
ステップＳＡ２２では、制御部３は、ステップＳＡ２１の処理で作成したメッセージのデータサイズと、ステップＳＡ１８の処理で圧縮して求めた圧縮画像データのデータサイズとの合計が当該携帯電話が使用可能な回線の最大メールサイズ（今の場合、１２ｋバイト）以下であるか否かを判断する。ステップＳＡ２２の判断結果が「ＹＥＳ」の場合には、制御部３は、ステップＳＡ２３へ進む。ステップＳＡ２３では、制御部３は、電子メールのメッセージ内に圧縮された圧縮画像データを設定するメール編集処理を行った後、ステップＳＡ２４へ進む。ステップＳＡ２４では、制御部３は、無線制御部２を制御して、電子メールの送信を行うメール送信処理を行った後、一連の処理を終了する。これにより、無線制御部２は、制御部３から供給される画像データ、通信データ、あるいは制御信号を無線信号に変調してアンテナ１、基地局又は親機を介して図示せぬメールサーバに送信する。
【００５１】
一方、ステップＳＡ２２の判断結果が「ＮＯ」の場合、すなわち、ステップＳＡ２１の処理で作成したメッセージのデータサイズと、ステップＳＡ１８の処理で圧縮して求めた圧縮画像データのデータサイズとの合計が当該携帯電話が使用可能な回線の最大メールサイズ（今の場合、１２ｋバイト）より大きい場合には、制御部３は、ステップＳＡ２５へ進む。ステップＳＡ２５では、制御部３は、圧縮サイズ判定部１２に最大メールサイズを通知するとともに、当該圧縮画像データの伸張を指示する。これにより、圧縮サイズ判定部１２は、当該圧縮画像データの伸張を画像圧縮伸張部１１に指示する。したがって、画像圧縮伸張部１１は、画像記憶部５から当該圧縮画像データを読み出して復号化し、その旨を制御部３に通知する。上記した通知を受けた制御部３は、図２に示すステップＳＡ５へ進む。なお、ステップＳＡ５以降の処理については既に説明しているので、その説明を省略する。
【００５２】
このように、この例の構成によれば、上記した式（１）に基づいて圧縮率Ｋを算出し、算出した圧縮率Ｋが最大圧縮率以下である場合にはメッセージに圧縮率Ｋで圧縮して求めた圧縮画像データを添付して電子メールを送信し、圧縮率Ｋが最大圧縮率より大きい場合には画像データを最大圧縮率で圧縮するとともに、ユーザにメッセージの修正を促し、修正されたメッセージに最大圧縮率で圧縮して求めた圧縮画像データを添付して電子メールを送信している。そして、メッセージの修正を行っても、修正されたメッセージのデータサイズと、最大圧縮率で圧縮して求めた圧縮画像データのデータサイズとの合計が使用可能な回線の最大データサイズより大きい場合には、メッセージのみの送信して終了するか、何も送信せず終了している。
したがって、ユーザは、通常は、電子メールのメッセージの文字数や添付する圧縮画像データのデータサイズを意識することなく、メッセージを作成できて圧縮画像データを添付して確実に送信することができる。
【００５３】
Ｂ．第２の実施例
次に、この発明の第２の実施例について説明する。
図５は、この発明の第２の実施例である圧縮画像データ送信方法を適用した携帯電話の構成を示すブロック図である。図５において、図１の各部に対応する部分には同一の符号を付け、その説明を省略する。ただし、この第２の実施例は、上記した第１の実施例とは制御部３等が実行する処理やメイン記憶部４に記憶されるデータ等が一部異なっている。図５に示す携帯電話においては、送信回線判定部２１が新たに設けられている。送信回線判定部２１は、無線制御部２から通知される、携帯電話の現在地に存在する移動体通信網において携帯電話が接続可能な回線を判定し、その回線の最大メールサイズを制御部３に通知する。
【００５４】
次に、上記構成の携帯電話の動作の一部について、図６〜図８に示すフローチャートを参照して説明する。図６〜図８において、図２〜図４の各処理に対応する部分には同一のステップ名を付け、その説明を省略する。まず、前提として、この例の携帯電話が使用可能な回線はパケット回線及び音声回線であるが、通常はパケット回線を優先的に使用し、当該携帯電話の現在地に存在する移動体通信網がパケット回線に対応しておらず音声回線にのみ対応している場合には、音声回線が使用されるものとする。最大メールサイズはパケット回線の場合は１２ｋバイト、音声回線の場合は６ｋバイトであるとする。また、メッセージに圧縮画像データを添付する場合、カメラ部９により撮影される画像に対応した画像データの標準的なデータサイズを２２０ｋバイトと想定し、パケット回線の場合はメッセージの最大データサイズが１ｋバイト、圧縮画像データの最大データサイズが１１ｋバイトに設定されており、音声回線の場合はメッセージの最大データサイズが１ｋバイト、圧縮画像データの最大データサイズが５ｋバイトに設定されているものとする。そして、画像圧縮伸張部１１における初期値としての圧縮率（デフォルト圧縮率）は、パケット回線の場合は１／２０、音声回線の場合は１／４４であるとする。
【００５５】
まず、カメラ部９による画像撮影から既に作成されたメッセージの選択又は新たなメッセージの作成までの処理については、上記した第１の実施例の場合と同様である（図６に示すステップＳＡ１〜ＳＡ４参照）。しかし、この第２の実施例では、この後図６に示すステップＳＡ３２において圧縮率Ｋの算出処理を行う前に、ステップＳＡ３１において回線判定処理を行う。すなわち、ステップＳＡ３１では、無線制御部２は、当該携帯電話の現在地に存在する移動体通信網において接続可能な回線（パケット回線又は音声回線）を送信回線判定部２１に通知する。これにより、送信回線判定部２１は、無線制御部２から通知された回線を判定し、その回線の最大メールサイズを制御部３に通知した後、ステップＳＡ３２へ進む。
【００５６】
ステップＳＡ３２では、制御部３は、送信回線判定部２１から通知された最大メールサイズ（パケット回線の場合は１２ｋバイト、音声回線の場合は６ｋバイト）を圧縮サイズ判定部１２に通知するとともに、圧縮サイズ判定部１２に圧縮率の算出を指示する。これにより、圧縮サイズ判定部１２は、制御部３から通知された最大メールサイズと、作成済みのメッセージのデータサイズと、ステップＳＡ１の処理でカメラ部９が撮影した画像データのデータサイズとを、上記した式（１）に代入して圧縮率Ｋを算出した後、ステップＳＡ６へ進む。
なお、ステップＳＡ６〜ＳＡ１７の処理については、上記した第１の実施例の場合と同様であるので、その説明を省略する。
【００５７】
次に、カメラ部９によって撮影された画像のデフォルト圧縮率での圧縮・保存から既に作成されたメッセージの選択又は新たなメッセージの作成までの処理については、上記した第１の実施例の場合と同様である（図６に示すステップＳＡ１８及びＳＡ１９並びに図８に示すステップＳＡ２０及びＳＡ２１参照）。しかし、この第２の実施例では、この後図８に示すステップＳＡ３４において最大メールサイズ以下であるか否かの判断処理を行う前に、ステップＳＡ３３において回線判定処理を行う。すなわち、ステップＳＡ３３では、無線制御部２は、当該携帯電話の現在地に存在する移動体通信網において接続可能な回線（パケット回線又は音声回線）を送信回線判定部２１に通知する。これにより、送信回線判定部２１は、無線制御部２から通知された回線を判定し、その回線の最大メールサイズを制御部３に通知した後、ステップＳＡ３４へ進む。
【００５８】
ステップＳＡ３４では、制御部３は、ステップＳＡ２１の処理で作成したメッセージのデータサイズと、ステップＳＡ１８の処理で圧縮して求めた圧縮画像データのデータサイズとの合計が、送信回線判定部２１から通知された最大メールサイズ（パケット回線の場合は１２ｋバイト、音声回線の場合は６ｋバイト）以下であるか否かを判断する。ステップＳＡ３４の判断結果が「ＹＥＳ」の場合には、制御部３は、ステップＳＡ２３へ進む。一方、ステップＳＡ３４の判断結果が「ＮＯ」の場合、すなわち、ステップＳＡ２１の処理で作成したメッセージのデータサイズと、ステップＳＡ１８の処理で圧縮して求めた圧縮画像データのデータサイズとの合計が、送信回線判定部２１から通知された最大メールサイズ（パケット回線の場合は１２ｋバイト、音声回線の場合は６ｋバイト）より大きい場合には、制御部３は、ステップＳＡ２５へ進む。
なお、ステップＳＡ２３〜ＳＡ２５の処理については、上記した第１の実施例の場合と同様であるので、その説明を省略する。ただし、制御部３は、ステップＳＡ２５の処理終了後、図６に示すステップＳＡ３２へ進む。
【００５９】
このように、この例の構成によれば、無線制御部２から通知される、携帯電話の現在地に存在する移動体通信網において携帯電話が接続可能な回線を判定し、その回線の最大メールサイズを制御部３に通知する送信回線判定部２１を設けている。したがって、携帯電話がパケット回線に対応した機種であり、ユーザの現在地に存在する移動体通信網がパケット回線に対応しておらず音声回線にのみ対応している場合であっても、音声回線の最大メールサイズに対応した圧縮率Ｋを算出して画像データを圧縮しているので、圧縮画像データを電子メールに添付して送信することができる。
これにより、ユーザは、電子メールのメッセージの文字数や添付する圧縮画像データのデータサイズだけでなく、電子メール送信時の移動体通信網の種別をも意識することなく、メッセージを作成できて圧縮画像データを添付して確実に送信することができる。
【００６０】
Ｃ．第３の実施例
次に、この発明の第３の実施例について説明する。
まず、第３の実施例である圧縮画像データ送信方法を適用した携帯電話の構成自体は図５に示す上記した第２の実施例の携帯電話の構成と同一であるが、制御部３等が実行する処理やメイン記憶部４に記憶されるデータ等が一部異なっている。また、この第３の実施例においては、送信先の電話番号を管理するためのメモリダイヤル（電話帳）データ内に各電話番号ごとに、対応する電話番号を付与されている携帯電話が使用可能な回線（パケット回線又は音声回線）の種別（以下、送信先回線種別という）又は最大メールサイズを記憶しておく。この送信先回線種別は、通常、携帯電話の機種ごとに１つに固定されており、ユーザは相手方に相手方が所持する携帯電話の電話番号を尋ねる際にその機種や最大メールサイズも併せて尋ねて、操作部６を操作することにより、電話番号と、機種、上記送信先回線種別又は最大メールサイズとをメモリダイヤルデータとして入力する。メモリダイヤルデータは、メイン記憶部４又は制御部３内部のメモリのいずれかに記憶される。
【００６１】
次に、上記構成の携帯電話の動作の一部について、図９〜図１１に示すフローチャートを参照して説明する。図９〜図１１において、図６〜図８の各処理に対応する部分には同一のステップ名を付け、その説明を省略する。まず、前提として、この例の携帯電話が使用可能な回線はパケット回線及び音声回線であるが、通常はパケット回線を優先的に使用し、当該携帯電話の現在地に存在する移動体通信網がパケット回線に対応しておらず音声回線にのみ対応している場合には、音声回線が使用されるものとする。最大メールサイズはパケット回線の場合は１２ｋバイト、音声回線の場合は６ｋバイトであるとする。また、メッセージに圧縮画像データを添付する場合、カメラ部９により撮影される画像に対応した画像データの標準的なデータサイズを２２０ｋバイトと想定し、パケット回線の場合はメッセージの最大データサイズが１ｋバイト、圧縮画像データの最大データサイズが１１ｋバイトに設定されており、音声回線の場合はメッセージの最大データサイズが１ｋバイト、圧縮画像データの最大データサイズが５ｋバイトに設定されているものとする。そして、画像圧縮伸張部１１における初期値としての圧縮率（デフォルト圧縮率）は、パケット回線の場合は１／２０、音声回線の場合は１／４４であるとする。
【００６２】
まず、カメラ部９による画像撮影から回線判定までの処理については、上記した第２の実施例の場合と同様である（図９に示すステップＳＡ１〜ＳＡ４及びＳＡ３１参照）。しかし、この第３の実施例では、この後図９に示すステップＳＡ４４において圧縮率Ｋの算出処理を行う前に、ステップＳＡ４１〜ＳＡ４３において送信先回線種別の設定済みか否かの判断処理、送信先回線種別の読み出し処理及び送信先回線種別の仮設定処理を行う。すなわち、ステップＳＡ４１では、制御部３は、メイン記憶部４又は制御部３内部のメモリのいずれかに記憶されているメモリダイヤルデータ内に、ユーザが当該電子メールを送信する相手方の電話番号とともに送信先回線種別又は最大メールサイズが既に設定されているか否かを判断する。この判断結果が「ＹＥＳ」の場合には、制御部３は、ステップＳＡ４２へ進む。ステップＳＡ４２では、制御部３は、メイン記憶部４又は制御部３内部のメモリのいずれかから当該送信先回線種別を読み出した後、ステップＳＡ４４へ進む。
【００６３】
一方、ステップＳＡ４１の判断結果が「ＮＯ」の場合、すなわち、メイン記憶部４又は制御部３内部のメモリのいずれかに記憶されているメモリダイヤルデータ内に、ユーザが当該電子メールを送信する相手方の電話番号とともに送信先回線種別又は最大メールサイズがまだ設定されていない場合には、制御部３は、ステップＳＡ４３へ進む。ステップＳＡ４３では、制御部３は、当該携帯電話が使用可能な回線ごとに設定されている送受信可能な電子メールのデータサイズの最大値である最大メールサイズのうち、最も小さいものを有する回線種別（今の場合、最大メールサイズが６ｋバイトである音声回線）を送信先回線種別として対応する電話番号のメモリダイヤルデータ内に仮設定した後、ステップＳＡ４４へ進む。この場合、最大メールサイズそのものをメモリダイヤルデータ内に仮設定しても良い。
【００６４】
ステップＳＡ４４では、制御部３は、送信回線判定部２１から通知された最大メールサイズ（パケット回線の場合は１２ｋバイト、音声回線の場合は６ｋバイト）と、ステップＳＡ４２の処理で読み出した送信先回線種別に対応した最大メールサイズ（パケット回線の場合は１２ｋバイト、音声回線の場合は６ｋバイト）又はステップＳＡ４２の処理で仮設定した送信先回線種別に対応した最大メールサイズ（今の場合、音声回線の６ｋバイト）とを比較し、小さい方の最大メールサイズを圧縮サイズ判定部１２に通知するとともに、圧縮サイズ判定部１２に圧縮率の算出を指示する。これにより、圧縮サイズ判定部１２は、制御部３から通知された最大メールサイズと、作成済みのメッセージのデータサイズと、ステップＳＡ１の処理でカメラ部９が撮影した画像データのデータサイズとを、上記した式（１）に代入して圧縮率Ｋを算出した後、ステップＳＡ６へ進む。
なお、ステップＳＡ６〜ＳＡ１７の処理については、上記した第１及び第２の実施例の場合と同様であるので、その説明を省略する。
【００６５】
次に、カメラ部９によって撮影された画像のデフォルト圧縮率での圧縮・保存から回線判定までの処理については、上記した第２の実施例の場合と同様である（図９に示すステップＳＡ１８及びＳＡ１９並びに図１１に示すステップＳＡ２０、ＳＡ２１及びＳＡ３３参照）。しかし、この第３の実施例では、この後図１１に示すステップＳＡ４９において最大メールサイズ以下であるか否かの判断処理を行う前に、ステップＳＡ４５〜ＳＡ４８において送信先回線種別の設定済みか否かの判断処理、送信先回線種別の読み出し処理、送信先回線種別の仮設定処理及び最大メールサイズ選択処理を行う。すなわち、ステップＳＡ４５では、制御部３は、メイン記憶部４又は制御部３内部のメモリのいずれかに記憶されているメモリダイヤルデータ内に、ユーザが当該電子メールを送信する相手方の電話番号とともに送信先回線種別又は最大メールサイズが既に設定されているか否かを判断する。この判断結果が「ＹＥＳ」の場合には、制御部３は、ステップＳＡ４６へ進む。ステップＳＡ４６では、制御部３は、メイン記憶部４又は制御部３内部のメモリのいずれかから当該送信先回線種別を読み出した後、ステップＳＡ４８へ進む。
【００６６】
一方、ステップＳＡ４５の判断結果が「ＮＯ」の場合、すなわち、メイン記憶部４又は制御部３内部のメモリのいずれかに記憶されているメモリダイヤルデータ内に、ユーザが当該電子メールを送信する相手方の電話番号とともに送信先回線種別又は最大メールサイズがまだ設定されていない場合には、制御部３は、ステップＳＡ４７へ進む。ステップＳＡ４７では、制御部３は、当該携帯電話が使用可能な回線ごとに設定されている送受信可能な電子メールのデータサイズの最大値である最大メールサイズのうち、最も小さいものを有する回線種別（今の場合、最大メールサイズが６ｋバイトである音声回線）を送信先回線種別として対応する電話番号のメモリダイヤルデータ内に仮設定した後、ステップＳＡ４８へ進む。この場合、最大メールサイズそのものをメモリダイヤルデータ内に仮設定しても良い。
【００６７】
ステップＳＡ４８では、制御部３は、送信回線判定部２１から通知された最大メールサイズ（パケット回線の場合は１２ｋバイト、音声回線の場合は６ｋバイト）と、ステップＳＡ４６の処理で読み出した送信先回線種別に対応した最大メールサイズ（パケット回線の場合は１２ｋバイト、音声回線の場合は６ｋバイト）又はステップＳＡ４７の処理で仮設定した送信先回線種別に対応した最大メールサイズ（今の場合、音声回線の６ｋバイト）とを比較し、小さい方の最大メールサイズを選択した後、ステップＳＡ４９へ進む。
ステップＳＡ４９では、制御部３は、ステップＳＡ２１の処理で作成したメッセージのデータサイズと、ステップＳＡ１８の処理で圧縮して求めた圧縮画像データのデータサイズとの合計が、ステップＳＡ４８の処理で選択した最大メールサイズ以下であるか否かを判断する。ステップＳＡ４９の判断結果が「ＹＥＳ」の場合には、制御部３は、ステップＳＡ２３へ進む。一方、ステップＳＡ４９の判断結果が「ＮＯ」の場合、すなわち、ステップＳＡ２１の処理で作成したメッセージのデータサイズと、ステップＳＡ１８の処理で圧縮して求めた圧縮画像データのデータサイズとの合計が、ステップＳＡ４８の処理で選択した最大メールサイズ（パケット回線の場合は１２ｋバイト、音声回線の場合は６ｋバイト）より大きい場合には、制御部３は、ステップＳＡ２５へ進む。
なお、ステップＳＡ２３〜ＳＡ２５の処理については、上記した第１及び第２の実施例の場合と同様であるので、その説明を省略する。ただし、制御部３は、ステップＳＡ２５の処理終了後、図９に示すステップＳＡ４４へ進む。
【００６８】
このように、この例の構成によれば、送信先の回線種別をも考慮して画像データを圧縮して電子メールに添付しているので、ユーザは、電子メールのメッセージの文字数や添付する圧縮画像データのデータサイズ及び電子メール送信時の移動体通信網の種別だけでなく、送信先の携帯電話の使用可能な回線種別をも意識することなく、メッセージを作成できて圧縮画像データを添付して確実に送信することができる。
【００６９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述の各実施例においては、この発明を携帯電話に適用する例を示したが、これに限定されず、この発明は、ＰＨＳにも適用することができる。
また、上述の各実施例では、ステップＳＡ１１及びＳＡ１２の処理において、警告表示後に必ずメッセージが変更される例を示したが、これに限定されない。例えば、ステップＳＡ１１の処理において、警告表示とともにユーザに対してメッセージの変更を行うか否かについて確認し、ユーザがメッセージの変更を希望する場合にはステップＳＡ１２の処理へ進み、ユーザがメッセージの変更を希望しない場合にはメッセージのみの送信を希望するか否かについて確認し、ユーザがメッセージのみの送信を希望する場合にはそのメッセージを送信し、ユーザがメッセージのみの送信を希望しない場合には何もせずそのまま処理を終了するように構成しても良い。
【００７０】
また、上述の各実施例においては、画像データを最大圧縮率で圧縮・保存した後（ステップＳＡ１０）、警告を表示し（ステップＳＡ１１）、メッセージを変更する（ステップＳＡ１２）例を示したが、これに限定されず、まず警告を表示してメッセージを変更した後に画像データを最大圧縮率で圧縮・保存しても良い。
また、上述の第３の実施例においては、ユーザが相手方に相手方が所持する携帯電話の電話番号を尋ねる際にその機種も併せて尋ねて、操作部６を操作することにより、電話番号と機種、上記送信先回線種別又は最大メールサイズとをメモリダイヤルデータとして入力する例を示したが、これに限定されない。例えば、ステップＳＡ４１及びＳＡ４５の処理において、制御部３は、メモリダイヤルデータ内に送信先回線種別又は最大メールサイズが設定されているかを判断し、設定されている場合にはそれを読み出して利用し（ステップＳＡ４２及びＳＡ４６）、設定されていない場合には、ステップＳＡ４３及びＳＡ４７の処理の換わりに、送信先の携帯電話に回線を介してアクセスしてその携帯電話の送信先回線種別、当該携帯電話の機種、送信先回線種別、又は機種に対応した回線で送受信可能な電子メールのデータサイズの最大値である最大メールサイズ、あるいは送信先の携帯端末の現在地に存在する移動体通信網において接続可能な回線（送信先の送信回線判定部が判定した回線）を問い合わせ（この場合、送信先のユーザは受信したことを認識しない）、回答された、送信先回線種別、機種、最大メールサイズ、あるいは接続可能な回線を当該携帯電話の電話番号に対応させてメモリダイヤルデータとして設定するとともに、それを利用するように構成しても良い。このように構成すれば、ユーザはより手間を省くことができる。
【００７１】
また、上述の第３の実施例においては、回線判定処理（ステップＳＡ３１及び３３）をも行う例を示したが、これに限定されず、回線判定処理（ステップＳＡ３１及び３３）や最大メールサイズ選択処理（ステップＳＡ４８）を行わずに、ステップＳＡ４１〜ＳＡ４３の処理及びステップＳＡ４５〜ＳＡ４７の処理だけを行うようにしても良い。この場合、ステップＳＡ４４では、制御部３は、ステップＳＡ４２の処理で読み出した送信先回線種別に対応した最大メールサイズ（パケット回線の場合は１２ｋバイト、音声回線の場合は６ｋバイト）又はステップＳＡ４２の処理で仮設定した送信先回線種別に対応した最大メールサイズ（今の場合、音声回線の６ｋバイト）を圧縮サイズ判定部１２に通知するとともに、圧縮サイズ判定部１２に圧縮率の算出を指示する。これにより、圧縮サイズ判定部１２は、制御部３から通知された最大メールサイズと、作成済みのメッセージのデータサイズと、ステップＳＡ１の処理でカメラ部９が撮影した画像データのデータサイズとを、上記した式（１）に代入して圧縮率Ｋを算出した後、ステップＳＡ６へ進む。
【００７２】
また、ステップＳＡ４９では、制御部３は、ステップＳＡ２１の処理で作成したメッセージのデータサイズと、ステップＳＡ１８の処理で圧縮して求めた圧縮画像データのデータサイズとの合計が、ステップＳＡ４６の処理で読み出した送信先回線種別に対応した最大メールサイズ（パケット回線の場合は１２ｋバイト、音声回線の場合は６ｋバイト）又はステップＳＡ４７の処理で仮設定した送信先回線種別に対応した最大メールサイズ（今の場合、音声回線の６ｋバイト）以下であるか否かを判断する。
【００７３】
【発明の効果】
以上説明したように、この発明の構成によれば、回線で送受信可能な電子メールのデータサイズの最大値である最大メールサイズからメッセージのデータサイズを減算した結果を画像データのデータサイズで除算して画像データの圧縮率を算出する第１のステップと、圧縮率が、携帯端末で使用される画像データのファイル・フォーマットにおける最大圧縮率以下である場合には圧縮率で画像データを圧縮して求めた第１の圧縮画像データをメッセージに添付して回線を介して他の携帯端末に送信する第２のステップと、圧縮率が最大圧縮率より大きい場合には最大圧縮率で画像データを圧縮して第２の圧縮画像データを求めるとともに、携帯端末の所持者にメッセージの変更を促し、変更されたメッセージのデータサイズと第２の圧縮画像データのデータサイズとの合計が最大メールサイズ以下である場合には第２の圧縮画像データを変更されたメッセージに添付して回線を介して他の携帯端末に送信する第３のステップとを有するので、ユーザが電子メールのメッセージの文字数や添付する圧縮画像データのデータサイズを意識することなく、メッセージを作成できて圧縮画像データを添付して確実に送信することができる。
また、この発明の別の構成によれば、携帯端末の現在地に存在する移動体通信網において接続可能な回線を判定する第１のステップと、第１のステップで判定された回線で送受信可能な電子メールのデータサイズの最大値である最大メールサイズからメッセージのデータサイズを減算した結果を画像データのデータサイズで除算して画像データの圧縮率を算出する第２のステップと、圧縮率が、携帯端末で使用される画像データのファイル・フォーマットにおける最大圧縮率以下である場合には圧縮率で画像データを圧縮して求めた第１の圧縮画像データをメッセージに添付して回線を介して他の携帯端末に送信する第３のステップと、圧縮率が最大圧縮率より大きい場合には最大圧縮率で画像データを圧縮して第２の圧縮画像データを求めるとともに、携帯端末の所持者にメッセージの変更を促し、変更されたメッセージのデータサイズと第２の圧縮画像データのデータサイズとの合計が最大メールサイズ以下である場合には第２の圧縮画像データを変更されたメッセージに添付して回線を介して他の携帯端末に送信する第４のステップとを有するので、ユーザが電子メール送信時の移動体通信網の種別を意識することなく、メッセージを作成できて圧縮画像データを添付して確実に送信することができる。
また、この発明の別の構成によれば、送信元の携帯端末を構成する記憶部に記憶されている送信先の電話番号を管理するためのメモリダイヤルデータ内に、送信先の電話番号とともに、送信先の携帯端末が使用可能な回線の種別である送信先回線種別又は、送信先回線種別に対応した回線で送受信可能な電子メールのデータサイズの最大値である第１の最大メールサイズが既に設定されている場合には、第１の最大メールサイズからメッセージのデータサイズを減算した結果を画像データのデータサイズで除算して画像データの第１の圧縮率を算出する第１のステップと、メモリダイヤルデータ内に送信先回線種別又は第１の最大メールサイズが設定されていない場合には、送信元の携帯端末が使用可能な回線ごとに設定されている送受信可能な電子メールのデータサイズの最大値である第２の最大メールサイズのうち、最も小さいものを示す第３の最大メールサイズからメッセージのデータサイズを減算した結果を画像データのデータサイズで除算して画像データの第２の圧縮率を算出する第２のステップと、第１又は第２の圧縮率が、送信元の携帯端末で使用される画像データのファイル・フォーマットにおける最大圧縮率以下である場合には第１又は第２の圧縮率で画像データを圧縮して求めた第１の圧縮画像データをメッセージに添付して回線を介して送信先の携帯端末に送信する第３のステップと、第１又は第２の圧縮率が最大圧縮率より大きい場合には、最大圧縮率で画像データを圧縮して第２の圧縮画像データを求めるとともに、送信元の携帯端末の所持者にメッセージの変更を促し、変更されたメッセージのデータサイズと第２の圧縮画像データのデータサイズとの合計が第１又は第３の最大メールサイズ以下である場合には第２の圧縮画像データを変更されたメッセージに添付して回線を介して送信先の携帯端末に送信する第４のステップとを有するので、ユーザが送信先の回線種別を意識することなく、メッセージを作成できて圧縮画像データを添付して確実に送信することができる。
また、この発明の別の構成によれば、メモリダイヤルデータ内に送信先回線種別又は第１の最大メールサイズが設定されていない場合には、回線を介して送信先の携帯端末にアクセスし、送信先の携帯端末の送信先回線種別、送信先の携帯端末の機種、第１の最大メールサイズ、あるいは送信先の携帯端末の現在地に存在する移動体通信網において接続可能な回線を問い合わせ、回答された、送信先回線種別に対応した回線、機種に対応した回線、あるいは接続可能な回線に、設定されている送受信可能な電子メールのデータサイズの最大値である第４の最大メールサイズ又は、第１の最大メールサイズからメッセージのデータサイズを減算した結果を画像データのデータサイズで除算して画像データの第２の圧縮率を算出するので、ユーザはより手間を省くことができる。
【図面の簡単な説明】
【図１】この発明の第１の実施例である圧縮画像データ送信方法を適用した携帯電話の構成を示すブロック図である。
【図２】同携帯電話の動作の一部を説明するためのフローチャートである。
【図３】同携帯電話の動作の一部を説明するためのフローチャートである。
【図４】同携帯電話の動作の一部を説明するためのフローチャートである。
【図５】この発明の第２の実施例である圧縮画像データ送信方法を適用した携帯電話の構成を示すブロック図である。
【図６】同携帯電話の動作の一部を説明するためのフローチャートである。
【図７】同携帯電話の動作の一部を説明するためのフローチャートである。
【図８】同携帯電話の動作の一部を説明するためのフローチャートである。
【図９】この発明の第３の実施例である圧縮画像データ送信方法を適用した携帯電話の動作の一部を説明するためのフローチャートである。
【図１０】同携帯電話の動作の一部を説明するためのフローチャートである。
【図１１】同携帯電話の動作の一部を説明するためのフローチャートである。
【符号の説明】
３，２３    制御部
４，２５    メイン記憶部
５，２６    画像記憶部
６，２７    操作部
９，３０    カメラ部
１０，３１  表示部
１１，３２  画像圧縮伸張部
１２，３３  圧縮サイズ判定部
２４        送信回線判定部
【図１】
2004158935.tif 000003
【図２】
2004158935.tif 000004
【図３】
2004158935.tif 000005
【図４】
2004158935.tif 000006
【図５】
2004158935.tif 000007
【図６】
2004158935.tif 000008
【図７】
2004158935.tif 000009
【図８】
2004158935.tif 000010
【図９】
2004158935.tif 000011
【図１０】
2004158935.tif 000012
【図１１】
2004158935.tif 000013